(57)【特許請求の範囲】
【請求項１】
ユーザ機器（ＵＥ）におけるワイヤレス通信のための方法において、
システム帯域幅の第１の副帯域と第２の副帯域との間の空間疑似コロケーション（ＱＣＬ）関連性を示すシグナリングを基地局から受信し、前記第１の副帯域は前記第２の副帯域とは異なることと、
前記第１の副帯域を介しての前記基地局からのダウンリンク送信の受信のために使用される空間パラメータに少なくとも部分的に基づいている、前記第２の副帯域を介しての前記基地局からの物理ダウンリンク共有チャネル（ＰＤＳＣＨ）復調基準信号（ＤＭＲＳ）の受信のための空間パラメータを、前記空間ＱＣＬ関連性と前記第１の副帯域が前記第２の副帯域とは異なることとに少なくとも部分的に基づいて導出することと、
前記導出した空間パラメータを使用して、前記第２の副帯域を介して前記基地局と通信することとを含む方法。
【請求項２】
前記空間ＱＣＬ関連性に基づいて、前記第２の副帯域を介しての前記基地局との通信のための送信ビームを識別することをさらに含み、
前記通信することは、前記送信ビームを使用して、前記第２の副帯域上でアップリンク制御情報を送信することを含む請求項１記載の方法。
【請求項３】
前記空間パラメータを導出することは、前記送信ビームに対する空間パラメータを導出することを含み、前記導出した空間パラメータは、前記ダウンリンク送信の受信のために使用される前記空間パラメータによって規定される機能と相互関係にある機能に対するものである請求項２記載の方法。
【請求項４】
前記ダウンリンク送信の受信のために使用される前記空間パラメータに関係するアナログビーム形成重み付けのセットを識別することと、
前記空間ＱＣＬ関連性に少なくとも部分的に基づいて、前記送信との使用のために、前記アナログビーム形成重み付けのセットを調節することとをさらに含む請求項２記載の方法。
【請求項５】
前記空間ＱＣＬ関連性に基づいて、前記第２の副帯域を介しての前記基地局からの前記ＰＤＳＣＨ  ＤＭＲＳの受信のための受信ビームを識別することをさらに含み、
前記通信することは、前記受信ビームを使用して、前記第２の副帯域上で前記ＰＤＳＣＨ  ＤＭＲＳを受信することを含む請求項１記載の方法。
【請求項６】
前記ダウンリンク送信の受信のために使用される前記空間パラメータに関係するアナログビーム形成重み付けのセットを識別し、前記ダウンリンク送信は、第１のダウンリンク送信であることと、
前記空間ＱＣＬ関連性に少なくとも部分的に基づいて、前記受信ビームとの使用のために、前記アナログビーム形成重み付けのセットを調節することとをさらに含む請求項５記載の方法。
【請求項７】
前記第１のダウンリンク送信は、チャネル状態情報基準信号（ＣＳＩ−ＲＳ）を含む請求項６記載の方法。
【請求項８】
前記第１の副帯域と前記第２の副帯域とに渡る相互ＱＣＬ関連性として、前記空間ＱＣＬ関連性を適用することをさらに含み、前記相互ＱＣＬ関連性は、前記第１の副帯域上で前記ダウンリンク送信を介して受信される１つ以上のダウンリンク信号の受信のためと、前記第２の副帯域上で送信される１つ以上のアップリンク信号の送信のために使用される空間パラメータに関係する請求項１記載の方法。
【請求項９】
前記１つ以上のダウンリンク信号は、物理ダウンリンク制御チャネル（ＰＤＣＣＨ）ＤＭＲＳ、ＰＤＳＣＨ ＤＭＲＳ、チャネル状態情報基準信号（ＣＳＩ−ＲＳ）、同期信号、または、これらの任意の組み合わせを含み、
前記１つ以上のアップリンク信号は、物理アップリンク制御チャネル（ＰＵＣＣＨ）ＤＭＲＳ、物理アップリンク共有チャネル（ＰＵＳＣＨ）ＤＭＲＳ、サウンディング基準信号（ＳＲＳ）、ランダムアクセスチャネル（ＲＡＣＨ）、または、これらの任意の組み合わせを含む請求項８記載の方法。
【請求項１０】
前記第１の副帯域と前記第２の副帯域とに渡るＱＣｌ関連性として、前記空間ＱＣＬ関連性を適用することをさらに含み、前記ＱＣＬ関連性は、前記第１の副帯域上の前記ダウンリンク送信を介して受信される第１のダウンリンク信号の受信のためと、前記第２の副帯域上で受信される第２のダウンリンク信号の受信のために使用される空間パラメータに関係する請求項１記載の方法。
【請求項１１】
前記第１のダウンリンク信号と前記第２のダウンリンク信号は、物理ダウンリンク制御チャネル（ＰＤＣＣＨ）ＤＭＲＳ、ＰＤＳＣＨ  ＤＭＲＳ、チャネル状態情報基準信号（ＣＳＩ−ＲＳ）、同期信号、または、これらの任意の組み合わせを含む請求項１０記載の方法。
【請求項１２】
無線リソース制御（ＲＲＣ）メッセージング、媒体アクセス制御（ＭＡＣ）制御要素、ダウンリンク制御情報（ＤＣＩ）、または、これらの組み合わせを使用して、前記シグナリングを受信することをさらに含む請求項１記載の方法。
【請求項１３】
前記第１の副帯域は第１の搬送波を含み、前記第２の副帯域は第２の搬送波を含む請求項１記載の方法。
【請求項１４】
前記第１の副帯域は第１の帯域幅部分を含み、前記第２の副帯域は第２の帯域幅部分を含む請求項１記載の方法。
【請求項１５】
前記導出した空間パラメータは、点角、ビーム幅、ビーム方向、または、これらの組み合わせを含む請求項１記載の方法。
【請求項１６】
基地局におけるワイヤレス通信のための方法において、
ユーザ機器（ＵＥ）との通信のための、システム帯域幅の第１の副帯域と第２の副帯域とを構成し、前記第１の副帯域は前記第２の副帯域とは異なることと、
前記第１の副帯域と前記第２の副帯域との間の空間疑似コロケーション（ＱＣＬ）関連性を決定することと、
前記決定した空間ＱＣＬ関連性を示すシグナリングを前記ＵＥに送信することと、
物理ダウンリンク共有チャネル（ＰＤＳＣＨ）復調基準信号（ＤＭＲＳ）の受信のための空間パラメータの、前記第１の副帯域が前記第２の副帯域とは異なることに少なくとも部分的に基づく導出を促進するために、前記第１の副帯域上でダウンリンク送信を前記ＵＥに送信することと、前記ＰＤＳＣＨ  ＤＭＲＳの受信のための空間パラメータは、前記第１の副帯域上での前記ダウンリンク送信の受信のために使用される空間パラメータに少なくとも部分的に基づいており、
前記第２の副帯域上で前記ＰＤＳＣＨ  ＤＭＲＳを送信することとを含む方法。
【請求項１７】
前記空間ＱＣＬ関連性は、前記第１の副帯域上での前記ダウンリンク送信の受信のために使用される空間パラメータに少なくとも部分的に基づいて、前記第２の副帯域上でのアップリンク制御情報の送信のための空間パラメータを前記ＵＥが導出できるようにし、
前記方法は、前記第２の副帯域上で前記アップリンク制御情報を受信することとをさらに含む請求項１６記載の方法。
【請求項１８】
前記ダウンリンク送信は、チャネル状態情報基準信号（ＣＳＩ−ＲＳ）を含む請求項１６記載の方法。
【請求項１９】
前記第１の副帯域と前記第２の副帯域との間の前記空間ＱＣＬ関連性を決定することは、
前記第１の副帯域と前記第２の副帯域とに渡る相互ＱＣＬ関連性を決定することを含み、前記相互ＱＣＬ関連性は、前記第１の副帯域上で送信される１つ以上のダウンリンク信号の前記ＵＥによる受信のためと、前記第２の副帯域上で送信される１つ以上のアップリンク信号の前記ＵＥによる送信のために使用される空間パラメータに関係する請求項１６記載の方法。
【請求項２０】
前記１つ以上のダウンリンク信号は、物理ダウンリンク制御チャネル（ＰＤＣＣＨ）ＤＭＲＳ、ＰＤＳＣＨ  ＤＭＲＳ、チャネル状態情報基準信号（ＣＳＩ−ＲＳ）、同期信号、または、これらの任意の組み合わせを含み、
前記１つ以上のアップリンク信号は、物理アップリンク制御チャネル（ＰＵＣＣＨ）ＤＭＲＳ、物理アップリンク共有チャネル（ＰＵＳＣＨ）ＤＭＲＳ、サウンディング基準信号（ＳＲＳ）、ランダムアクセスチャネル（ＲＡＣＨ）、または、これらの任意の組み合わせを含む請求項１９記載の方法。
【請求項２１】
前記第１の副帯域と前記第２の副帯域との間の前記空間ＱＣＬ関連性を決定することは、
前記第１の副帯域と前記第２の副帯域とに渡るＱＣＬ関連性を決定することを含み、前記ＱＣＬ関連性は、前記第１の副帯域上で送信される第１のダウンリンク信号の前記ＵＥによる受信のためと、前記第２の副帯域上で送信される第２のダウンリンク信号の前記ＵＥによる受信のための空間パラメータに関係する請求項１６記載の方法。
【請求項２２】
前記第１のダウンリンク信号と前記第２のダウンリンク信号は、物理ダウンリンク制御チャネル（ＰＤＣＣＨ）ＤＭＲＳ、ＰＤＳＣＨ  ＤＭＲＳ、チャネル状態情報基準信号（ＣＳＩ−ＲＳ）、同期信号、または、これらの任意の組み合わせを含む請求項２１記載の方法。
【請求項２３】
前記シグナリングを送信することは、無線リソース制御（ＲＲＣ）メッセージング、媒体アクセス制御（ＭＡＣ）制御要素、ダウンリンク制御情報（ＤＣＩ）、または、これらの組み合わせを使用して、前記シグナリングを送信することを含む請求項１６記載の方法。
【請求項２４】
前記第１の副帯域は第１の搬送波を含み、前記第２の副帯域は第２の搬送波を含む請求項１６記載の方法。
【請求項２５】
前記第１の副帯域は第１の帯域幅部分を含み、前記第２の副帯域は第２の帯域幅部分を含む請求項１６記載の方法。
【請求項２６】
前記空間ＱＣＬ関連性は、点角、ビーム幅、ビーム方向、または、これらの組み合わせを含む空間パラメータに関係する請求項１６記載の方法。
【請求項２７】
ユーザ機器（ＵＥ）におけるワイヤレス通信のための装置において、
プロセッサと、
前記プロセッサと電子通信するメモリと、
前記メモリ中に記憶されている命令とを具備し、
前記命令は、前記プロセッサによって実行されるとき、前記装置に、
システム帯域幅の第１の副帯域と第２の副帯域との間の空間疑似コロケーション（ＱＣＬ）関連性を示すシグナリングを基地局から受信させ、前記第１の副帯域は前記第２の副帯域とは異なり、
前記第１の副帯域を介しての前記基地局からのダウンリンク送信の受信のために使用される空間パラメータに少なくとも部分的に基づいている、前記第２の副帯域を介しての前記基地局からの物理ダウンリンク共有チャネル（ＰＤＳＣＨ）復調基準信号（ＤＭＲＳ）の受信のための空間パラメータを、前記空間ＱＣＬ関連性と前記第１の副帯域が前記第２の副帯域とは異なることとに少なくとも部分的に基づいて導出させ、
前記導出した空間パラメータを使用して、前記第２の副帯域を介して前記基地局と通信させるように動作可能である装置。
【請求項２８】
前記命令は、前記プロセッサによって、前記装置に、
前記空間ＱＣＬ関連性に基づいて、前記第２の副帯域を介しての前記基地局との通信のための送信ビームを識別させるように実行可能であり、
前記プロセッサによって、前記装置に通信させるように実行可能な命令は、前記プロセッサによって、前記装置に、前記送信ビームを使用して、前記第２の副帯域上でアップリンク制御情報を送信させるように実行可能な命令を含む請求項２７記載の装置。
【請求項２９】
前記プロセッサによって、前記装置に、空間パラメータを導出させるように実行可能な命令は、前記プロセッサによって、前記装置に、前記送信ビームに対する空間パラメータを導出させるように実行可能な命令を含み、前記導出した空間パラメータは、前記ダウンリンク送信の受信のために使用される前記空間パラメータによって規定される機能と相互関係にある機能に対するものである請求項２８記載の装置。
【請求項３０】
前記命令は、前記プロセッサによって、前記装置に、
前記ダウンリンク送信の受信のために使用される前記空間パラメータに関係するアナログビーム形成重み付けのセットを識別させ、
前記空間ＱＣＬ関連性に少なくとも部分的に基づいて、前記送信ビームとの使用のために、前記アナログビーム形成重み付けのセットを調節させるように実行可能である請求項２８記載の装置。
【請求項３１】
前記命令は、前記プロセッサによって、前記装置に、
前記空間ＱＣＬ関連性に基づいて、前記第２の副帯域を介しての前記基地局からのＰＤＳＣＨ  ＤＭＲＳの受信のための受信ビームを識別させるように実行可能であり、前記プロセッサによって、前記装置に通信させるように実行可能な命令は、前記受信ビームを使用して、前記第２の副帯域上で前記ＰＤＳＣＨ  ＤＭＲＳの受信させるように実行可能な命令を含む請求項２７記載の装置。
【請求項３２】
前記命令は、前記プロセッサによって、前記装置に、
前記ダウンリンク送信の受信のために使用される前記空間パラメータに関係するアナログビーム形成重み付けのセットを識別させ、
前記空間ＱＣＬ関連性に少なくとも部分的に基づいて、前記受信ビームとの使用のために、前記アナログビーム形成重み付けのセットを調節させるように実行可能であり、
前記ダウンリンク送信は、第１のダウンリンク送信である請求項３１記載の装置。
【請求項３３】
前記第１のダウンリンク送信は、チャネル状態情報基準信号（ＣＳＩ−ＲＳ）を含む請求項３２記載の装置。
【請求項３４】
前記命令は、前記プロセッサによって、前記装置に、
前記第１の副帯域と前記第２の副帯域とに渡る相互ＱＣＬ関連性として、前記空間ＱＣＬ関連性を適用させるように実行可能であり、前記相互ＱＣＬ関連性は、前記第１の副帯域上で前記ダウンリンク送信を介して受信される１つ以上のダウンリンク信号の受信のためと、前記第２の副帯域上で送信される１つ以上のアップリンク信号の送信のために使用される空間パラメータに関係する請求項２７記載の装置。
【請求項３５】
前記１つ以上のダウンリンク信号は、物理ダウンリンク制御チャネル（ＰＤＣＣＨ）ＤＭＲＳ、ＰＤＳＣＨ ＤＭＲＳ、チャネル状態情報基準信号（ＣＳＩ−ＲＳ）、同期信号、または、これらの任意の組み合わせを含み、
前記１つ以上のアップリンク信号は、物理アップリンク制御チャネル（ＰＵＣＣＨ）ＤＭＲＳ、物理アップリンク共有チャネル（ＰＵＳＣＨ）ＤＭＲＳ、サウンディング基準信号（ＳＲＳ）、ランダムアクセスチャネル（ＲＡＣＨ）、または、これらの任意の組み合わせを含む請求項３４記載の装置。
【請求項３６】
前記命令は、前記プロセッサによって、前記装置に、
前記第１の副帯域と前記第２の副帯域とに渡るＱＣＬ関連性として、前記空間ＱＣＬ関連性を適用させるように実行可能であり、前記ＱＣＬ関連性は、前記第１の副帯域上の前記ダウンリンク送信を介して受信される第１のダウンリンク信号の受信のためと、前記第２の副帯域上で受信される第２のダウンリンク信号の受信のために使用される空間パラメータに関係する請求項２７記載の装置。
【請求項３７】
前記第１のダウンリンク信号と前記第２のダウンリンク信号は、物理ダウンリンク制御チャネル（ＰＤＣＣＨ）、ＰＤＳＣＨ  ＤＭＲＳ、チャネル状態情報基準信号（ＣＳＩ−ＲＳ）、同期信号、または、これらの任意の組み合わせを含む請求項３６記載の装置。
【請求項３８】
前記命令は、前記プロセッサによって、前記装置に、
無線リソース制御（ＲＲＣ）メッセージング、媒体アクセス制御（ＭＡＣ）制御要素、ダウンリンク制御情報（ＤＣＩ）、または、これらの組み合わせを使用して、前記シグナリングを受信させるように実行可能である請求項２７記載の装置。
【請求項３９】
基地局におけるワイヤレス通信のための装置において、
プロセッサと、
前記プロセッサと電子通信するメモリと、
前記メモリ中に記憶されている命令とを具備し、
前記命令は、前記プロセッサによって実行されるとき、前記装置に、
ユーザ機器（ＵＥ）との通信のための、システム帯域幅の第１の副帯域と第２の副帯域とを構成させ、前記第１の副帯域は前記第２の副帯域とは異なり、
前記第１の副帯域と前記第２の副帯域との間の空間疑似コロケーション（ＱＣＬ）関連性を決定させ、
前記決定した空間ＱＣＬ関連性を示すシグナリングを前記ＵＥに送信させ、
物理ダウンリンク共有チャネル（ＰＤＳＣＨ）復調基準信号（ＤＭＲＳ）の受信のための空間パラメータの、前記第１の副帯域が前記第２の副帯域とは異なることに少なくとも部分的に基づく導出を促進するために、前記第１の副帯域上でダウンリンク送信を前記ＵＥに送信させ、前記ＰＤＳＣＨ  ＤＭＲＳの受信のための空間パラメータは、前記第１の副帯域上での前記ダウンリンク送信の受信のために使用される空間パラメータに少なくとも部分的に基づいており、
前記第２の副帯域上で前記ＰＤＳＣＨ  ＤＭＲＳを送信させるように実行可能である装置。
【請求項４０】
前記空間ＱＣＬ関連性は、前記第１の副帯域上での前記ダウンリンク送信の受信のために使用される空間パラメータに少なくとも部分的に基づいて、前記第２の副帯域上でのアップリンク制御情報の送信のための空間パラメータを前記ＵＥが導出できるようにし、
前記命令は、前記プロセッサによって、前記装置に、前記第２の副帯域上で前記アップリンク制御情報を受信させるようにさらに実行可能である請求項３９記載の装置。
【請求項４１】
前記ダウンリンク送信は、チャネル状態情報基準信号（ＣＳＩ−ＲＳ）を含む請求項３９記載の装置。
【請求項４２】
前記プロセッサによって、前記装置に、前記第１の副帯域と前記第２の副帯域との間の前記空間ＱＣＬ関連性を決定させるように実行可能な命令は、前記プロセッサによって、前記装置に、前記第１の副帯域と前記第２の副帯域とに渡る相互ＱＣＬ関連性を決定させるように実行可能な命令を含み、前記相互ＱＣＬ関連性は、前記第１の副帯域上で送信される１つ以上のダウンリンク信号の前記ＵＥによる受信のためと、前記第２の副帯域上で送信される１つ以上のアップリンク信号の前記ＵＥによる送信のために使用される空間パラメータに関係する請求項３９記載の装置。
【請求項４３】
前記１つ以上のダウンリンク信号は、物理ダウンリンク制御チャネル（ＰＤＣＣＨ）ＤＭＲＳ、ＰＤＳＣＨ ＤＭＲＳ、チャネル状態情報基準信号（ＣＳＩ−ＲＳ）、同期信号、または、これらの任意の組み合わせを含み、
前記１つ以上のアップリンク信号は、物理アップリンク制御チャネル（ＰＵＣＣＨ）ＤＭＲＳ、物理アップリンク共有チャネル（ＰＵＳＣＨ）ＤＭＲＳ、サウンディング基準信号（ＳＲＳ）、ランダムアクセスチャネル（ＲＡＣＨ）、または、これらの任意の組み合わせを含む請求項４２記載の装置。
【請求項４４】
前記プロセッサによって、前記装置に、前記第１の副帯域と前記第２の副帯域との間の前記空間ＱＣＬ関連性を決定させるように実行可能な命令は、前記プロセッサによって、前記装置に、前記第１の副帯域と前記第２の副帯域とに渡るＱＣＬ関連性を決定させるように実行可能な命令を含み、前記ＱＣＬ関連性は、前記第１の副帯域上で送信される第１のダウンリンク信号の前記ＵＥによる受信のためと、前記第２の副帯域上で送信される第２のダウンリンク信号の前記ＵＥによる受信のための空間パラメータに関係する請求項３９記載の装置。
【請求項４５】
前記第１のダウンリンク信号と前記第２のダウンリンク信号は、物理ダウンリンク制御チャネル（ＰＤＣＣＨ）ＤＭＲＳ、ＰＤＳＣＨ  ＤＭＲＳ、チャネル状態情報基準信号（ＣＳＩ−ＲＳ）、同期信号、または、これらの任意の組み合わせを含む請求項４４記載の装置。
【請求項４６】
前記プロセッサによって、前記装置に、前記シグナリングを送信させるように実行可能な命令は、前記プロセッサによって、前記装置に、無線リソース制御（ＲＲＣ）メッセージング、媒体アクセス制御（ＭＡＣ）制御要素、ダウンリンク制御情報（ＤＣＩ）、または、これらの組み合わせを使用して、前記シグナリングを送信させるように実行可能な命令を含む請求項３９記載の装置。
【請求項４７】
ユーザ機器（ＵＥ）におけるワイヤレス通信のための装置において、
システム帯域幅の第１の副帯域と第２の副帯域との間の空間疑似コロケーション（ＱＣＬ）関連性を示すシグナリングを基地局から受信し、前記第１の副帯域は前記第２の副帯域とは異なる手段と、
前記第１の副帯域を介しての前記基地局からのダウンリンク送信の受信のために使用される空間パラメータに少なくとも部分的に基づいている、前記第２の副帯域を介しての前記基地局からの物理ダウンリンク共有チャネル（ＰＤＳＣＨ）復調基準信号（ＤＭＲＳ）の受信のための空間パラメータを、前記空間ＱＣＬ関連性と前記第１の副帯域が前記第２の副帯域とは異なることとに少なくとも部分的に基づいて導出する手段と、
前記導出した空間パラメータを使用して、前記第２の副帯域を介して前記基地局と通信する手段とを具備する装置。
【請求項４８】
基地局におけるワイヤレス通信のための装置において、
ユーザ機器（ＵＥ）との通信のための、システム帯域幅の第１の副帯域と第２の副帯域とを構成し、前記第１の副帯域は前記第２の副帯域とは異なる手段と、
前記第１の副帯域と前記第２の副帯域との間の空間疑似コロケーション（ＱＣＬ）関連性を決定する手段と、
前記決定した空間ＱＣＬ関連性を示すシグナリングを前記ＵＥに送信する手段と、
物理ダウンリンク共有チャネル（ＰＤＳＣＨ）復調基準信号（ＤＭＲＳ）の受信のための空間パラメータの、前記第１の副帯域が前記第２の副帯域とは異なることに少なくとも部分的に基づく導出を促進するために、前記第１の副帯域上でダウンリンク送信を前記ＵＥに送信し、前記ＰＤＳＣＨ  ＤＭＲＳの受信のための空間パラメータは、前記第１の副帯域上での前記ダウンリンク送信の受信のために使用される空間パラメータに少なくとも部分的に基づいている手段と、
前記第２の副帯域上で前記ＰＤＳＣＨ  ＤＭＲＳを送信する手段とを具備する装置。
【請求項４９】
ユーザ機器（ＵＥ）におけるワイヤレス通信のためのコードを記憶している非一時的コンピュータ読取可能媒体において、
前記コードは、
システム帯域幅の第１の副帯域と第２の副帯域との間の空間疑似コロケーション（ＱＣＬ）関連性を示すシグナリングを基地局から受信し、前記第１の副帯域は前記第２の副帯域とは異なり、
前記第１の副帯域を介しての前記基地局からのダウンリンク送信の受信のために使用される空間パラメータに少なくとも部分的に基づいている、前記第２の副帯域を介しての前記基地局からの物理ダウンリンク共有チャネル（ＰＤＳＣＨ）復調基準信号（ＤＭＲＳ）の受信のための空間パラメータを、前記空間ＱＣＬ関連性と前記第１の副帯域が前記第２の副帯域とは異なることとに少なくとも部分的に基づいて導出し、
前記導出した空間パラメータを使用して、前記第２の副帯域を介して前記基地局と通信するように、プロセッサによって実行可能な命令を含む非一時的コンピュータ読取可能媒体。
【請求項５０】
基地局におけるワイヤレス通信のためのコードを記憶している非一時的コンピュータ読取可能媒体において、
前記コードは、
ユーザ機器（ＵＥ）との通信のための、システム帯域幅の第１の副帯域と第２の副帯域とを構成し、前記第１の副帯域は前記第２の副帯域とは異なり、
前記第１の副帯域と前記第２の副帯域との間の空間疑似コロケーション（ＱＣＬ）関連性を決定し、
前記決定した空間ＱＣＬ関連性を示すシグナリングを前記ＵＥに送信し、
物理ダウンリンク共有チャネル（ＰＤＳＣＨ）復調基準信号（ＤＭＲＳ）の受信のための空間パラメータの、前記第１の副帯域が前記第２の副帯域とは異なることに少なくとも部分的に基づく導出を促進するために、前記第１の副帯域上でダウンリンク送信を前記ＵＥに送信し、前記ＰＤＳＣＨ  ＤＭＲＳの受信のための空間パラメータは、前記第１の副帯域上での前記ダウンリンク送信の受信のために使用される空間パラメータに少なくとも部分的に基づいており、
前記第２の副帯域上で前記ＰＤＳＣＨ  ＤＭＲＳを送信するように、プロセッサによって実行可能な命令を含む非一時的コンピュータ読取可能媒体。
【発明の詳細な説明】
【相互参照】
【０００１】
［０００１］
特許のための本出願は、２０１８年５月１０日出願され、「副帯域間疑似コロケーションシグナリング」と題されたジョン・ウィルソン氏他による米国特許出願第１５／９７５、９９５号、２０１７年５月１２日出願され、「副帯域間疑似コロケーションシグナリング」と題されたジョン・ウィルソン氏他による米国仮特許出願第６２／５０５、８０２号の利益を主張し、これらのそれぞれは、この譲受人に譲渡されている。
【背景】
【０００２】
［０００２］
以下は、一般的にワイヤレス通信に関連し、より具体的には、副帯域間疑似コロケーション（ＱＣＬ）シグナリングに関連する。
【０００３】
［０００３］
ワイヤレス通信システムは、音声、ビデオ、パケットデータ、メッセージング、ブロードキャスト等のような、さまざまなタイプの通信コンテンツを提供するために広く配備されている。これらのシステムは、利用可能なシステムリソース（例えば、時間、周波数、および、電力）を共有することによって、複数のユーザとの通信をサポートすることができてもよい。このような多元接続システムの例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム（例えば、ロングタームエボリューション（ＬＴＥ（登録商標））システム、または、新たな無線（ＮＲ）システム）を含む。ワイヤレス多元接続通信システムは、多数の基地局またはアクセスネットワークノードを含んでいてもよく、それぞれは、別な方法ではユーザ機器（ＵＥ）として知られているかもしれない複数の通信デバイスに対する通信を同時にサポートする。
【０００４】
［０００４］
いくつかのワイヤレス多元接続通信システムでは、デバイスは、複数のアンテナを通して通信を送信および受信してもよい。例えば、デバイスは、（例えば、同じアンテナを通してシーケンシャルにデータストリームを送信することとは対照的に）スループットを増加させるために、それぞれのアンテナを通して並列データストリームを送信してもよい。追加的にまたは代替的に、デバイスは、（例えば、送信の範囲を増加させるために）複数のアンテナを通して同時に所定のデータストリームを送信してもよい。いくつかのケースでは、複数アンテナの使用は、１つ以上のアンテナポートに基づいていてもよい。アンテナポートは、データストリームをアンテナにマッピングするために使用される論理エンティティである。所定のアンテナポートは、１つ以上のアンテナからの送信を駆動し（例えば、そして、１つ以上のアンテナを通して受信した信号コンポーネントを分解し）てもよい。
【０００５】
［０００５］
各アンテナポートは、（例えば、受信した送信において、異なるアンテナポートに関係するデータストリームを受信機が区別することを可能にしてもよい）基準信号に関係していてもよい。いくつかのアンテナポートは、疑似コロケートされていると呼ばれることがあり、これは、１つのアンテナポート上におけるシンボルが伝えられるチャネルの空間パラメータが、別のアンテナポート上におけるシンボルが伝えられるチャネルの空間パラメータから推測できることを意味する。アンテナポート間のこの暗黙的関連性は、送信のデコードに成功する信頼性を向上させることができる。しかしながら、このような暗黙的関連性は、すべての状況で識別可能でないかもしれない。例えば、２つのデバイスが複数の副帯域（または、搬送波）を通して同時に通信するかもしれない。これらの副帯域は、送信デバイス（例えば、基地局）におけるアンテナの同じセットに関係しているかもしれないし、関係していないかもしれないことから、（例えば、これらが同じ搬送波を通して送信されていたとして、これらのアンテナポートが疑似コロケートされていたとしても）受信デバイス（例えば、ＵＥ）は、異なる搬送波のアンテナポート間の何らかの暗黙的関連性を仮定できないかもしれない。
【概要】
【０００６】
［０００６］
説明する技術は、一般的に、副帯域間疑似コロケーション（ＱＣＬ）シグナリングに関連する。具体的には、基地局は、副帯域間の空間ＱＣＬ関連性をユーザ機器（ＵＥ）にシグナリングしてもよい。例として、基地局は、同時に複数の副帯域（例えば、システム帯域幅の異なる部分）を通してＵＥと通信するかもしれない。各副帯域は、基地局における異なるアンテナアレイに、または、同じアンテナアレイに関係しているかもしれない。基地局が所定の送信のためにどのアンテナコンフィギュレーションを用いたかをＵＥは知らないかもしれないことから、ＵＥは、副帯域に渡る何らかの空間ＱＣＬ関連性を仮定できないかもしれない。説明する技術にしたがうと、基地局は、複数の副帯域（または、複数の搬送波）間の空間ＱＣＬ関連性を（例えば、明示的にまたは別の方法で）シグナリングしてもよく、いくつかのケースでは、この空間パラメータ（例えば、帯域幅、点角、ビーム方向等）は、疑似コロケートされている。ＵＥは、例えば、第１の副帯域を通して受信した基準信号から、シグナリングに基づいて、第２の副帯域に対して示された空間パラメータを決定してもよい。したがって、ＵＥは、（第１の副帯域を通して受信した基準信号の空間パラメータに基づいて）送信ビームまたは受信ビームを形成して、第２の副帯域を通して基地局と通信してもよい。
【０００７】
［０００７］
ワイヤレス通信の方法を説明する。方法は、システム帯域幅の第１の副帯域と第２の副帯域との間の空間ＱＣＬ関連性を示すシグナリングを基地局から受信することと、第１の副帯域を介しての基地局からのダウンリンク送信の受信のために使用される空間パラメータに少なくとも部分的に基づいている、第２の副帯域を介しての基地局との通信のための空間パラメータを、空間ＱＣＬ関連性に少なくとも部分的に基づいて導出することと、導出した空間パラメータを使用して、第２の副帯域を介して基地局と通信することとを含んでいてもよい。
【０００８】
［０００８］
ワイヤレス通信のための装置を説明する。装置は、システム帯域幅の第１の副帯域と第２の副帯域との間の空間ＱＣＬ関連性を示すシグナリングを基地局から受信する手段と、第１の副帯域を介しての基地局からのダウンリンク送信の受信のために使用される空間パラメータに少なくとも部分的に基づいている、第２の副帯域を介しての基地局との通信のための空間パラメータを、空間ＱＣＬ関連性に少なくとも部分的に基づいて導出する手段と、導出した空間パラメータを使用して、第２の副帯域を介して基地局と通信する手段とを含んでいてもよい。
【０００９】
［０００９］
ワイヤレス通信のための別の装置を説明する。装置は、プロセッサと、プロセッサと電子通信するメモリと、メモリ中に記憶されている命令とを含んでいてもよい。命令は、プロセッサに、システム帯域幅の第１の副帯域と第２の副帯域との間の空間ＱＣＬ関連性を示すシグナリングを基地局から受信させ、第１の副帯域を介しての基地局からのダウンリンク送信の受信のために使用される空間パラメータに少なくとも部分的に基づいている、第２の副帯域を介しての基地局との通信のための空間パラメータを、空間ＱＣＬ関連性に少なくとも部分的に基づいて導出させ、導出した空間パラメータを使用して、第２の副帯域を介して基地局と通信させるように動作可能であってもよい。
【００１０】
［００１０］
ワイヤレス通信のための非一時的コンピュータ読取可能媒体を説明する。非一時的コンピュータ読取可能媒体は、プロセッサに、システム帯域幅の第１の副帯域と第２の副帯域との間の空間ＱＣＬ関連性を示すシグナリングを基地局から受信させ、第１の副帯域を介しての基地局からのダウンリンク送信の受信のために使用される空間パラメータに少なくとも部分的に基づいている、第２の副帯域を介しての基地局との通信のための空間パラメータを、空間ＱＣＬ関連性に少なくとも部分的に基づいて導出させ、導出した空間パラメータを使用して、第２の副帯域を介して基地局と通信させるように動作可能な命令を含んでいてもよい。
【００１１】
［００１１］
上記で説明した方法、装置、および、非一時的コンピュータ読取可能媒体のうちのいくつかの例は、空間ＱＣＬ関連性に基づいて、第２の副帯域を介しての基地局との通信のための送信ビームを識別するためのプロセス、特徴、手段、または、命令をさらに含んでいてもよく、通信することは、送信ビームを使用して、第２の副帯域上でアップリンク制御情報を送信することを含む。
【００１２】
［００１２］
上記で説明した方法、装置、および、非一時的コンピュータ読取可能媒体のうちのいくつかの例において、空間パラメータを導出することは、送信ビームに対する空間パラメータを導出することを含み、導出した空間パラメータは、ダウンリンク送信の受信のために使用される空間パラメータによって規定される機能と相互関係にあってもよい機能に対するものである。
【００１３】
［００１３］
上記で説明した方法、装置、および、非一時的コンピュータ読取可能媒体のうちのいくつかの例は、ダウンリンク送信の受信のために使用される空間パラメータに関係するアナログビーム形成重み付けのセットを識別するためのプロセス、特徴、手段、または、命令をさらに含んでいてもよい。上記で説明した方法、装置、および、非一時的コンピュータ読取可能媒体のうちのいくつかの例は、空間ＱＣＬ関連性に少なくとも部分的に基づいて、送信ビームとの使用のために、アナログビーム形成重み付けのセットを調節するためのプロセス、特徴、手段、または、命令をさらに含んでいてもよい。
【００１４】
［００１４］
上記で説明した方法、装置、および、非一時的コンピュータ読取可能媒体のうちのいくつかの例は、空間ＱＣＬ関連性に基づいて、第２の副帯域を介しての基地局との通信のための受信ビームを識別するためのプロセス、特徴、手段、または、命令をさらに含んでいてもよく、通信することは、受信ビームを使用して、第２の副帯域上で第２のダウンリンク送信を受信することを含む。
【００１５】
［００１５］
上記で説明した方法、装置、および、非一時的コンピュータ読取可能媒体のうちのいくつかの例は、ダウンリンク送信の受信のために使用される空間パラメータに関係するアナログビーム形成重み付けのセットを識別するためのプロセス、特徴、手段、または、命令をさらに含んでいてもよく、ダウンリンク送信は、第１のダウンリンク送信であってもよい。上記で説明した方法、装置、および、非一時的コンピュータ読取可能媒体のうちのいくつかの例は、空間ＱＣＬ関連性に少なくとも部分的に基づいて、受信ビームとの使用のために、アナログビーム形成重み付けのセットを調節するためのプロセス、特徴、手段、または、命令をさらに含んでいてもよい。
【００１６】
［００１６］
上記で説明した方法、装置、および、非一時的コンピュータ読取可能媒体のうちのいくつかの例において、第１のダウンリンク送信は、チャネル状態情報基準信号（ＣＳＩ−ＲＳ）を含み、第２のダウンリンク送信は、物理ダウンリンク共有チャネル（ＰＤＳＣＨ）復調基準信号（ＤＭＲＳ）を含む。
【００１７】
［００１７］
上記で説明した方法、装置、および、非一時的コンピュータ読取可能媒体のうちのいくつかの例は、第１の副帯域と第２の副帯域とに渡る相互ＱＣＬ関連性として、空間ＱＣＬ関連性を適用するためのプロセス、特徴、手段、または、命令をさらに含んでいてもよく、相互ＱＣＬ関連性は、第１の副帯域上でダウンリンク送信を介して受信される１つ以上のダウンリンク信号の受信のためと、第２の副帯域上で送信される１つ以上のアップリンク信号の送信のために使用される空間パラメータに関係していてもよい。
【００１８】
［００１８］
上記で説明した方法、装置、および、非一時的コンピュータ読取可能媒体のうちのいくつかの例において、１つ以上のダウンリンク信号は、物理ダウンリンク制御チャネル（ＰＤＣＣＨ）ＤＭＲＳ、ＰＤＳＣＨ  ＤＭＲＳ、ＣＳＩ−ＲＳ、同期信号、または、これらの任意の組み合わせを含み、１つ以上のアップリンク信号は、物理アップリンク制御チャネル（ＰＵＣＣＨ）ＤＭＲＳ、物理アップリンク共有チャネル（ＰＵＳＣＨ）ＤＭＲＳ、サウンディング基準信号（ＳＲＳ）、ランダムアクセスチャネル（ＲＡＣＨ）、または、これらの任意の組み合わせを含む。
【００１９】
［００１９］
上記で説明した方法、装置、および、非一時的コンピュータ読取可能媒体のうちのいくつかの例は、第１の副帯域と第２の副帯域とに渡るＱＣＬ関連性として、空間ＱＣＬ関連性を適用するためのプロセス、特徴、手段、または、命令をさらに含んでいてもよく、ＱＣＬ関連性は、第１の副帯域上のダウンリンク送信を介して受信される第１のダウンリンク信号の受信のためと、第２の副帯域上で受信される第２のダウンリンク信号の受信のために使用される空間パラメータに関係していてもよい。上記で説明した方法、装置、および、非一時的コンピュータ読取可能媒体のうちのいくつかの例において、第１のダウンリンク信号と第２のダウンリンク信号は、ＰＤＣＣＨ  ＤＭＲＳ、ＰＤＳＣＨ  ＤＭＲＳ、ＣＳＩ−ＲＳ、同期信号、または、これらの任意の組み合わせを含む。
【００２０】
［００２０］
上記で説明した方法、装置、および、非一時的コンピュータ読取可能媒体のうちのいくつかの例は、無線リソース制御（ＲＲＣ）メッセ−ジング、媒体アクセス制御（ＭＡＣ）制御要素、ダウンリンク制御情報（ＤＣＩ）、または、これらの組み合わせを使用して、シグナリングを受信するための、プロセス、特徴、手段、または、命令をさらに含んでいてもよい。
【００２１】
［００２１］
上記で説明した方法、装置、および、非一時的コンピュータ読取可能媒体のうちのいくつかの例において、第１の副帯域は第１の搬送波を含み、第２の副帯域は第２の搬送波を含む。上記で説明した方法、装置、および、非一時的コンピュータ読取可能媒体のうちのいくつかの例において、導出した空間パラメータは、点角、ビーム幅、ビーム方向、または、これらの組み合わせを含む。
【００２２】
［００２２］
ワイヤレス通信の方法を説明する。方法は、ＵＥとの通信のための、システム帯域幅の第１の副帯域と第２の副帯域とを構成することと、第１の副帯域と第２の副帯域との間の空間ＱＣＬ関連性を決定することと、決定した空間ＱＣＬ関連性を示すシグナリングをＵＥに送信することとを含んでいてもよい。
【００２３】
［００２３］
ワイヤレス通信のための装置を説明する。装置は、ＵＥとの通信のための、システム帯域幅の第１の副帯域と第２の副帯域とを構成する手段と、第１の副帯域と第２の副帯域との間の空間ＱＣＬ関連性を決定する手段と、決定した空間ＱＣＬ関連性を示すシグナリングをＵＥに送信する手段とを含んでいてもよい。
【００２４】
［００２４］
ワイヤレス通信のための別の装置を説明する。装置は、プロセッサと、プロセッサと電子通信するメモリと、メモリ中に記憶されている命令とを備えていてもよい。命令は、プロセッサに、ＵＥとの通信のための、システム帯域幅の第１の副帯域と第２の副帯域とを構成させ、第１の副帯域と第２の副帯域との間の空間ＱＣＬ関連性を決定させ、決定した空間ＱＣＬ関連性を示すシグナリングをＵＥに送信させるように動作可能であってもよい。
【００２５】
［００２５］
ワイヤレス通信のための非一時的コンピュータ読取可能媒体を説明する。非一時的コンピュータ読取可能媒体は、プロセッサに、ＵＥとの通信のための、システム帯域幅の第１の副帯域と第２の副帯域とを構成させ、第１の副帯域と第２の副帯域との間の空間ＱＣＬ関連性を決定させ、決定した空間ＱＣＬ関連性を示すシグナリングをＵＥに送信させるように動作可能な命令を含んでいてもよい。
【００２６】
［００２６］
上記で説明した方法、装置、および、非一時的コンピュータ読取可能媒体のうちのいくつかの例は、第１の副帯域上でダウンリンク送信をＵＥに送信するためのプロセス、特徴、手段、または、命令をさらに含んでいてもよく、空間ＱＣＬ関連性は、第１の副帯域上でのダウンリンク送信の受信のために使用される空間パラメータに少なくとも部分的に基づいて、第２の副帯域上でのアップリンク制御情報の送信のための空間パラメータをＵＥが導出できるようにする。上記で説明した方法、装置、または、非一時的コンピュータ読取可能媒体のうちのいくつかの例は、第２の副帯域上でアップリンク制御情報を受信するための、プロセス、特徴、手段、または、命令をさらに含んでいてもよい。
【００２７】
［００２７］
上記で説明した方法、装置、および、非一時的コンピュータ読取可能媒体のうちのいくつかの例は、第１の副帯域上で第１のダウンリンク送信をＵＥに送信するための、プロセス、特徴、手段、または、命令をさらに含んでいてもよく、空間ＱＣＬ関連性は、第１の副帯域上での第１のダウンリンク送信の受信のために使用される空間パラメータに少なくとも部分的に基づいて、第２の副帯域上での第２のダウンリンク送信の受信ための空間パラメータをＵＥが導出できるようにする。上記で説明した方法、装置、または、非一時的コンピュータ読取可能媒体のうちのいくつかの例は、第２の副帯域上で第２のダウンリンク送信を送信するための、プロセス、特徴、手段、または、命令をさらに含んでいてもよい。上記で説明した方法、装置、および、非一時的コンピュータ読取可能媒体のうちのいくつかの例において、第１のダウンリンク送信はＣＳＩ−ＲＳを含み、第２のダウンリンク送信はＰＤＳＣＨ  ＤＭＲＳを含む。
【００２８】
［００２８］
上記で説明した方法、装置、および、非一時的コンピュータ読取可能媒体のうちのいくつかの例において、第１の副帯域と第２の副帯域との間の空間ＱＣＬ関連性を決定することは、第１の副帯域と第２の副帯域とに渡る相互ＱＣＬ関連性を決定することを含み、相互ＱＣＬ関連性は、第１の副帯域上で送信される１つ以上のダウンリンク信号のＵＥによる受信のためと、第２の副帯域上で送信される１つ以上のアップリンク信号のＵＥによる送信のために使用される空間パラメータに関係していてもよい。
【００２９】
［００２９］
上記で説明した方法、装置、および、非一時的コンピュータ読取可能媒体のうちのいくつかの例において、１つ以上のダウンリンク信号は、ＰＤＣＣＨ  ＤＭＲＳ、ＰＤＳＣＨ  ＤＭＲＳ、ＣＳＩ−ＲＳ、同期信号、または、これらの任意の組み合わせを含み、１つ以上のアップリンク信号は、ＰＵＣＣＨ  ＤＭＲＳ、ＰＵＳＣＨ  ＤＭＲＳ、ＳＲＳ、ＲＡＣＨ、または、これらの任意の組み合わせを含む。上記で説明した方法、装置、および、非一時的コンピュータ読取可能媒体のうちのいくつかの例において、第１の副帯域と第２の副帯域との間の空間ＱＣＬ関連性を決定することは、第１の副帯域と第２の副帯域とに渡るＱＣＬ関連性を決定することを含み、ＱＣＬ関連性は、第１の副帯域上で送信される第１のダウンリンク信号のＵＥによる受信のためと、第２の副帯域上で送信される第２のダウンリンク信号のＵＥによる受信のためとの空間パラメータに関係していてもよい。
【００３０】
［００３０］
上記で説明した方法、装置、および、非一時的コンピュータ読取可能媒体のうちのいくつかの例において、第１のダウンリンク信号と第２のダウンリンク信号は、ＰＤＣＣＨ  ＤＭＲＳ、ＰＤＳＣＨ  ＤＭＲＳ、ＣＳＩ−ＲＳ、同期信号、または、これらの任意の組み合わせを含む。上記で説明した方法、装置、および、非一時的コンピュータ読取可能媒体のうちのいくつかの例において、シグナリングを送信することは、ＲＲＣメッセージング、ＭＡＣ制御要素、ＤＣＩ、または、これらの組み合わせを使用して、シグナリングを送信することを含む。
【００３１】
［００３１］
上記で説明した方法、装置、および、非一時的コンピュータ読取可能媒体のうちのいくつかの例において、第１の副帯域は第１の搬送波を含み、第２の副帯域は第２の搬送波を含む。上記で説明した方法、装置、および、非一時的コンピュータ読取可能媒体のうちのいくつかの例において、空間ＱＣＬ関連性は、点角、ビーム幅、ビーム方向、または、これらの組み合わせを含む空間パラメータに関係していてもよい。
【図面の簡単な説明】
【００３２】
【図１】［００３２］  図１は、本開示の態様にしたがう、ワイヤレス通信システムの例を図示している。
【図２】［００３３］  図２は、本開示の態様にしたがう、ワイヤレス通信システムの例を図示している。
【図３】［００３４］  図３は、本開示の態様にしたがう、例示的な送信ダイヤグラムを図示している。
【図４】［００３５］  図４は、本開示の態様にしたがう、副帯域送信の例を図示している。
【図５】図５は、本開示の態様にしたがう、副帯域送信の例を図示している。
【図６】［００３６］  図６は、本開示の態様にしたがう、プロセスフローの例を図示している。
【図７】図７は、本開示の態様にしたがう、プロセスフローの例を図示している。
【図８】［００３７］  図８は、本開示の態様にしたがう、デバイスのブロックダイヤグラムを示している。
【図９】図９は、本開示の態様にしたがう、デバイスのブロックダイヤグラムを示している。
【図１０】図１０は、本開示の態様にしたがう、デバイスのブロックダイヤグラムを示している。
【図１１】［００３８］  図１１は、本開示の態様にしたがう、ユーザ機器（ＵＥ）を含むシステムのブロックダイヤグラムを図示している。
【図１２】［００３９］  図１２は、本開示の態様にしたがう、デバイスのブロックダイヤグラムを示している。
【図１３】図１３は、本開示の態様にしたがう、デバイスのブロックダイヤグラムを示している。
【図１４】図１４は、本開示の態様にしたがう、デバイスのブロックダイヤグラムを示している。
【図１５】［００４０］  図１５は、本開示の態様にしたがう、基地局を含むシステムのブロックダイヤグラムを図示している。
【図１６】［００４１］  図１６は、本開示の態様にしたがう、方法を図示している。
【図１７】図１７は、本開示の態様にしたがう、方法を図示している。
【図１８】図１８は、本開示の態様にしたがう、方法を図示している。
【図１９】図１９は、本開示の態様にしたがう、方法を図示している。
【図２０】図２０は、本開示の態様にしたがう、方法を図示している。
【詳細な説明】
【００３３】
［００４２］
いくつかのワイヤレス通信システムでは、デバイスは、同時に、システム帯域幅の複数の部分を通して通信できてもよい。このようなコンフィギュレーションは、通信に対するスループットを向上させるか、そうでなければ、システムに利益をもたらすことができる。しかしながら、異なる帯域幅部分を通しての送信は、異なる経路を経験するかもしれない（例えば、異なるアンテナから送信されるかもしれない、異なる程度のパス損失を経験するかもしれない、異なるアンテナを通して受信するかもしれない、等）ことから、受信デバイスは、独立して送信を処理しなければならないかもしれない（例えば、１つの帯域幅上のアンテナポートの信号処理を活用して、別の副帯域上の疑似コロケートされているアンテナポートの処理を促進できないかもしれない）。本開示のさまざまな態様にしたがうと、基地局は、帯域幅の２つの部分間の関連性をシグナリングしてもよく、２つの部分は、ここでは搬送波、副帯域、または、帯域幅部分（ＢＷＰ）として呼ばれることがあり、シグナリングは、帯域幅の第１の部分を通して受信される第１の信号の処理に基づいて、第２の部分を通して第２の信号をユーザ機器（ＵＥ）が送信（または受信）できるようにする。
【００３４】
［００４３］
開示の態様は、最初に、ワイヤレス通信システムの文脈で説明する。本開示の態様は、次に、送信ダイヤグラムおよびプロセスフローの文脈で示す。本開示の態様はさらに、副帯域間疑似コロケーション（ＱＣＬ）シグナリングに関連する、装置ダイヤグラム、システムダイヤグラム、および、フローチャートによって図示し、ならびに、これらを参照して説明する。
【００３５】
［００４４］
図１は、本開示のさまざまな態様にしたがう、ワイヤレス通信システム１００の例を図示している。ワイヤレス通信システム１００は、基地局１０５、ＵＥ１１５、および、コアネットワーク１３０を含む。いくつかの例では、ワイヤレス通信システム１００は、ロングタームエボリューション（ＬＴＥ）、ＬＴＥアドバンスト（ＬＴＥ−Ａ）ネットワーク、または、新たな無線（ＮＲ）ネットワークであってもよい。いくつかのケースでは、ワイヤレス通信システム１００は、拡張ブロードバンド通信、超高信頼（すなわち、ミッションクリティカル）通信、低遅延通信、および、低コスト低複雑性デバイスとの通信をサポートしてもよい。ＵＥ１１５は、複数の副帯域を通して基地局１０５と通信するように動作可能であってもよい。いくつかのケースでは、１つのこのような副帯域のビームに関係する空間パラメータは、別の副帯域のビームに関係する空間パラメータに基づいて推定してもよい。このようなケースでは、ビーム（例えば、または副帯域）のアンテナポートは、互いに疑似コロケートされているとして呼ばれることがある。しかしながら、副帯域に渡る暗黙のＱＣＬの仮定に関するいくつかの制限があるかもしれない。したがって、本開示のさまざまな態様は、第１の副帯域（例えば、第１の搬送波またはＢＷＰ）と第２の副帯域（例えば、第２の搬送波またはＢＷＰ）との間の（例えば、ＱＣＬタイプを含む）ＱＣＬ関連性のシグナリングを可能にする。
【００３６】
［００４５］
基地局１０５は、１つ以上の基地局アンテナを介して、ＵＥ１１５とワイヤレスに通信することができる。各基地局１０５は、それぞれの地理的カバレッジエリア１１０のための通信カバレッジを提供してもよい。ワイヤレス通信システム１００において示される通信リンク１２５は、ＵＥ１１５から基地局１０５へのアップリンク送信、または、基地局１０５からＵＥ１１５へのダウンリンク送信を含んでいてもよい。制御情報およびデータは、さまざまな技術にしたがって、アップリンクチャネルまたはダウンリンク上で多重化してもよい。制御情報およびデータは、例えば、時分割多重（ＴＤＭ）技術、周波数分割多重（ＦＤＭ）技術、または、ハイブリッドＴＤＭ−ＦＤＭ技術を使用して、ダウンリンクチャネル上で多重化してもよい。いくつかの例では、ダウンリンクチャネルの送信時間間隔（ＴＴＩ）の間に送信される制御情報は、カスケード方法で、異なる制御領域間で（例えば、共通制御領域と１つ以上のＵＥ特有制御領域との間で）分散させてもよい。
【００３７】
［００４６］
ＵＥ１１５は、ワイヤレス通信システム１００全体に分散していてもよく、各ＵＥ１１５は、静的または移動性であってもよい。ＵＥ１１５はまた、移動局、加入者局、移動体ユニット、加入者ユニット、ワイヤレスユニット、遠隔ユニット、移動体デバイス、ワイヤレスデバイス、ワイヤレス通信デバイス、遠隔デバイス、移動体加入者局、アクセス端末、移動体端末、ワイヤレス端末、遠隔端末、ハンドセット、ユーザエージェント、移動体クライアント、クライアント、または、他の何らかの適切な専門用語として呼ばれることがある。ＵＥ１１５はまた、セルラ電話機、パーソナルデジタルアシスタント（ＰＤＡ）、ワイヤレスモデム、ワイヤレス通信デバイス、ハンドヘルドデバイス、タブレットコンピュータ、ラップトップコンピュータ、コードレス電話機、パーソナル電子デバイス、ハンドヘルドデバイス、パーソナルコンピュータ、ワイヤレスローカルループ（ＷＬＬ）局、インターネットオブシングス（ＩｏＴ）デバイス、インターネットオブエブリシング（ＩｏＥ）デバイス、機械タイプ通信（ＭＴＣ）デバイス、電気機器、自動車、または、これらに類するものであってもよい。
【００３８】
［００４７］
いくつかのケースでは、ＵＥ１１５はまた、（例えば、ピア・ツー・ピア（Ｐ２Ｐ）またはデバイス・ツー・デバイス（Ｄ２Ｄ）プロトコルを使用して）他のＵＥ１１５と直接通信できてもよい。Ｄ２Ｄ通信を利用するＵＥ１１５のグループのうちの１つ以上は、セルのカバレッジエリア１１０内にあってもよい。このようなグループ中の他のＵＥ１１５は、セルのカバレッジエリア１１０の外側にあってもよく、または、そうでなければ、基地局１０５からの送信を受信できないかもしれない。いくつかのケースでは、Ｄ２Ｄの通信を介して通信するＵＥ１１５のグループは、１対多（１：Ｍ）システムを利用することができ、各ＵＥ１１５は、グループ中の他のすべてのＵＥ１１５に送信する。いくつかのケースでは、基地局１０５は、Ｄ２Ｄ通信のためのリソースのスケジューリングを促進する。他のケースでは、Ｄ２Ｄ通信は、基地局１０５とは関係なく実行される。
【００３９】
［００４８］
ＭＴＣまたはＩｏＴデバイスのようないくつかのＵＥ１１５は、低コストまたは低複雑性デバイスであってもよく、機械間の自動化通信、すなわち、機械対機械（Ｍ２Ｍ）通信を提供してもよい。Ｍ２ＭまたはＭＴＣは、人間の介入なく、デバイスが互いにまたは基地局１０５との通信を可能にするデータ通信テクノロジーを指すことがある。例えば、Ｍ２ＭまたはＭＴＣは、情報を測定または捕捉し、その情報を使用することができる中央サーバまたはアプリケーションプログラムにその情報を中継する、あるいは、プログラムまたはアプリケーションと対話する人間にその情報を提示する、センサまたはメータを一体化しているデバイスからの通信を指してもよい。いくつかのＵＥ１１５は、情報を収集するように、または、機械の自動化された挙動を可能にするように設計されていてもよい。ＭＴＣデバイスのためのアプリケーションの例は、スマートメータリング、在庫の監視、水レベル監視、機器監視、ヘルスケア監視、野生動物監視、天気および地質学的イベント監視、フリート管理および追跡、遠隔セキュリティ感知、物理アクセス制御、ならびに、トランザクションベースのビジネスチャージを含む。
【００４０】
［００４９］
基地局１０５は、コアネットワーク１３０と、そして、互いに通信してもよい。例えば、基地局１０５は、バックホールリンク１３２（例えば、Ｓ１、Ｓ２等）を通して、コアネットワーク１３０とインターフェースしていてもよい。基地局１０５は、（例えば、コアネットワーク１３０を通して）直接的にまたは間接的にのいずれかで、バックホールリンク１３４（例えば、Ｘ１、Ｘ２等）を通して互いに通信してもよい。基地局１０５は、ＵＥ１１５と通信するために、無線コンフィギュレーションとスケジューリングとを実行してもよく、または、（示していない）基地局制御装置の制御の下で動作してもよい。いくつかの例において、基地局１０５は、マクロセル、スモールセル、ホットスポット、または、これらに類するものであってもよい。基地局１０５は、進化型ノードＢ（ｅＮＢ）１０５または次世代ノードＢ（ｇＮＢ）１０５として呼ばれることもある。
【００４１】
［００５０］
基地局１０５は、ＳＩインターフェースによってコアネットワーク１３０に接続されていてもよい。コアネットワーク１３０は、ユーザ認証、アクセス許可、追跡、インターネットプロトコル（ＩＰ）接続性、他のアクセス、ルーティング、または、モビリティ機能を提供してもよい。基地局１０５のようなネットワークデバイスのうちの少なくともいくつかは、アクセスネットワークエンティティのようなサブコンポーネントを含んでいてもよく、これらは、アクセスノード制御装置（ＡＮＣ）の例であってもよい。各アクセスネットワークエンティティは、多数の他のアクセスネットワーク送信エンティティを通して多数のＵＥ１１５と通信してもよく、これらのそれぞれは、スマート無線ヘッド、または、送信／受信ポイント（ＴＲＰ）の例であってもよい。いくつかのコンフィギュレーションでは、各アクセスネットワークエンティティまたは基地局１０５のさまざまな機能を、さまざまなネットワークデバイス（例えば、無線ヘッドおよびアクセスネットワーク制御装置）に渡って分散させてもよく、または、単一のネットワークデバイス（例えば、基地局１０５）中に統合してもよい。
【００４２】
［００５１］
いくつかのケースでは、ワイヤレス通信システム１００は、レイヤードプロトコルスタックにしたがって動作する、パケットベースのネットワークであってもよい。ユーザプレーンでは、ベアラまたはパケットデータコンバージェンスプロトコル（ＰＤＣＰ）レイヤおける通信は、ＩＰベースであってもよい。無線リンク制御（ＲＬＣ）レイヤは、いくつかのケースでは、パケットセグメント化および再アセンブルを実行して、論理チャネルを通して通信してもよい。媒体アクセス制御（ＭＡＣ）レイヤは、論理チャネルの優先取り扱いと、論理チャネルを伝送チャネルに多重化することとを実行してもよい。ＭＡＣレイヤはまた、ハイブリッド自動反復要求（ＨＡＲＱ）を使用して、ＭＡＣレイヤにおける再送信を提供して、リンク効率を改善してもよい。制御プレーンでは、無線リソース制御（ＲＲＣ）プロトコルレイヤは、ユーザプレーンデータのための無線ベアラをサポートする、ＵＥ１１５と基地局１０５のようなネットワークデバイスとの、または、コアネットワーク１３０との間のＲＲＣ接続の確立、コンフィギュレーション、および、維持を提供してもよい。物理（ＰＨＹ）レイヤにおいて、伝送チャネルは、物理チャネルにマッピングされていてもよい。
【００４３】
［００５２］
共有無線周波数スペクトル帯域をＮＲ共有スペクトルシステムで利用してもよい。例えば、ＮＲ共有スペクトルは、とりわけ、ライセンスされている、共有されている、および、ライセンスされていないスペクトルの任意の組み合わせを利用してもよい。ＮＲシステムにおけるシンボル持続期間および副搬送波間隔の柔軟性は、複数のスペクトルの使用を可能にしてもよい。いくつかの例において、ＮＲ共有スペクトルは、具体的には、リソースの動的（例えば、周波数に渡る）垂直および（例えば、時間に渡る）水平共有を通して、スペクトル利用およびスペクトル効率性を増加させてもよい。
【００４４】
［００５３］
いくつかのケースでは、ワイヤレス通信システム１００は、ライセンスされている無線周波数スペクトル帯域およびライセンスされていない無線周波数スペクトル帯域の両方を利用できる。例えば、ワイヤレス通信システム１００は、ＬＴＥライセンス支援アクセス（ＬＴＥ−ＬＡＡ）を、または、ＬＴＥライセンスされていない（ＬＴＥ  Ｕ）無線アクセステクノロジー、または、５ＧＨｚ産業、科学、医療（ＩＳＭ）帯域のような、ライセンスされていない帯域におけるＮＲテクノロジーを用いてもよい。ライセンスされていない無線周波数スペクトル帯域で動作するとき、基地局１０５とＵＥ１１５のようなワイヤレスデバイスは、リッスンビフォアトーク（ＬＢＴ）手順を用いて、チャネルがデータ送信前に空であることを確実にしてもよい。ライセンスされていないスペクトルにおける動作は、ダウンリンク送信、アップリンク送信、または、これらの両方を含んでいてもよい。ライセンスされていないスペクトルにおけるデュプレックスは、周波数分割デュプレックス（ＦＤＤ）、時分割デュプレックス（ＴＤＤ）、または、両方の組み合わせに基づいてもよい。
【００４５】
［００５４］
ワイヤレス通信システム１００は、複数の搬送波または副帯域（または、ＢＷＰ）に渡って動作をサポートしてもよい。態様において、用語、搬送波、副帯域、および、ＢＷＰは、信号が送信される周波数スペクトルの任意の適切な部分を指すかもしれない。例えば、２つの搬送波は、システム帯域幅において４００ＭＨｚをそれぞれ占有していてもよい。各４００ＭＨｚの搬送波は、複数の副帯域（例えば、４つの１００ＭＨｚの副帯域）を含んでいてもよい。これらの例は限定するものではないことを理解すべきであり、搬送波は、任意の適切な帯域幅を占有していてもよく、任意の適切な数の副帯域を含んでいてもよい。さらに、異なる搬送波が異なる帯域幅に広がっていてもよく、および／または、異なる数の副帯域を含んでいてもよい。いくつかのケースでは、副帯域は、広帯域配備で使用されるようなコンポーネント搬送波（ＣＣ）の態様を示してもよい。例えば、パラレルデータストリームは、それぞれの副帯域上で送信されてもよく、これらのデータストリームを集約し、受信した信号を形成してもよい。いくつかのケースでは、ＵＥ１１５は、４つの１００ＭＨｚ副帯域を通して信号を送信（例えば、または、受信）してもよく、基地局１０５は、単一の４００ＭＨｚ搬送波を通して信号を受信（例えば、または、送信）してもよい。代替的に、ＵＥ１１５と基地局１０５の両方が、副帯域を使用してもよく、または、その両方が、搬送波および／またはＢＷＰを使用してもよい。いくつかのケースでは、ＵＥ１１５が単一の集約された搬送波を使用しながら、基地局１０５は、複数の副帯域を使用してもよい。したがって、本開示の態様において、副帯域間のＱＣＬの関連性を（例えば、搬送波間のＱＣＬ関連性を特定するために使用されるものと類似した技術を使用して）特定することができる。ＢＷＰは、周波数スペクトルの一部分を含んでいてもよい。さらに、測定ギャップを除いて、ＵＥ１１５がＢＷＰの周波数範囲の外側で送信または受信する必要がなくてもよいように、ＢＷＰを動的に切り替えてもよい。いくつかのケースでは、ＢＷＰは、ＲＲＣシグナリングを使用して構成してもよく、ＤＣＩメッセージングを使用して切り替えてもよい。ＢＷＰは、副帯域または搬送波の一部分を備えていてもよい。したがって、いくつかの例では、用語、搬送波、副帯域、および、ＢＷＰは、別
個の概念（例えば、別個の周波数分割）を指すことがあるが、用語は、（副帯域に関してここで説明するさまざまな技術が、搬送波およびＢＷＰにも交換可能に適用されてもよいという点で）交換可能に使用するかもしれない。
【００４６】
［００５５］
いくつかのネットワーク（例えば、ワイヤレスローカルエリアネットワーク（ＷＬＡＮ））は、５ＧＨｚと同じ高さの周波数を使用するかもしれないが、ワイヤレス通信システム１００は、７００ＭＨｚから２６００ＭＨｚの周波数帯域を使用して、極超短波（ＵＨＦ）領域で動作してもよい。波長は長さがおおよそ１デシメートルから１メートルの範囲であることから、この領域は、デシメートル帯域としても知られているかもしれない。ＵＨＦ波は、主に見通し線によって伝搬するかもしれず、建物や環境の特徴によってブロックされるかもしれない。しかしながら、波は壁を貫通して、屋内に位置するＵＥ１１５にサービスを十分に提供するかもしれない。ＵＨＦ波の送信は、スペクトルの高周波（ＨＦ）または超短波（ＶＨＦ）部分のより低い周波数（または、より長い波）を使用する送信と比較して、より小さなアンテナとより短い範囲（例えば、１００ｋｍ未満）によって特徴付けられる。いくつかのケースでは、ワイヤレス通信システム１００は、（例えば、２５ＧＨｚから３００ＧＨｚまでの）スペクトルの極高周波（ＥＨＦ）部分も利用してもよい。波長がおおよそ１ミリメートルから１センチメートルの長さの範囲であることから、この領域は、ミリメートル帯域としても知られているかもしれない。したがって、ＥＨＦアンテナはＵＨＦアンテナよりも、さらにより小さく、密接な間隔であってもよい。いくつかのケースでは、これは、（例えば、指向性ビーム形成のために）ＵＥ１１５内でのアンテナアレイの使用を促進できる。しかしながら、ＥＨＦ送信はＵＨＦ送信よりも、さらに大きな大気減衰を受け、より狭い範囲であるかもしれない。
【００４７】
［００５６］
ワイヤレス通信システム１００は、ＵＥ１１５と基地局１０５との間でミリ波（ｍｍＷ）通信をサポートしてもよい。ｍｍＷまたはＥＨＦ帯域で動作するデバイスは、ビーム形成を可能にする複数のアンテナを有していてもよい。すなわち、基地局１０５は、複数のアンテナまたはアンテナアレイを使用して、ＵＥ１１５との指向性通信のためのビーム形成動作を行ってもよい。（空間フィルタリングまたは指向性送信としても呼ばれるかもしれない）ビーム形成は、ターゲット受信機（例えば、ＵＥ１１５）の方向に全体的なアンテナビームを形成および／またはステアリングするために、送信機（例えば、基地局１０５）において使用してもよい信号処理技術である。送信される信号の特定の角度が強め合う干渉を経験しながら他の角度が弱め合う干渉を経験するような方法で、アンテナアレイ中のエレメントを組み合わせることによって、このようなステアリングを達成してもよい。
【００４８】
［００５７］
複数入力複数出力（ＭＩＭＯ）ワイヤレスシステムは、送信機（例えば、基地局１０５）と受信機（例えば、ＵＥ１１５）との間の送信スキームを使用し、送信機と受信機の両方が複数のアンテナを装備している。ワイヤレス通信システム１００のいくつかの部分は、ビーム形成を使用してもよい。例えば、アンテナの多数の行と列を有するアンテナアレイ（例えば、または、アンテナパネル）を基地局１０５は有していてもよく、このアンテナアレイは、基地局１０５がＵＥ１１５とのその通信においてビーム形成のために使用してもよい。信号は、異なる方向に複数回送信されてもよい（例えば、各送信は、異なってビーム形成されてもよい）。図２を参照して説明するように、ｍｍＷ受信機（例えば、ＵＥ１１５）は同期信号を受信しながら、複数のビーム（例えば、アンテナのサブアレイ）を試してもよい。
【００４９】
［００５８］
いくつかのケースでは、基地局１０５またはＵＥ１１５のアンテナは、ＭＩＭＯ動作のためのビーム形成をサポートすることができる１つ以上のアンテナアレイ内に位置付けられていてもよい。１つ以上の基地局アンテナまたはアンテナアレイは、アンテナ塔として、アンテナアセンブリで同じ位置に配置されていてもよい。いくつかのケースでは、基地局１０５に関係するアンテナまたはアンテナアレイは、多様な地理的ロケーションに位置付けられていてもよい。基地局１０５は、複数のアンテナまたはアンテナアレイを使用して、ＵＥ１１５との指向性通信のためのビーム形成動作を行ってもよい。
【００５０】
［００５９］
ワイヤレス通信システム１００のいくつかの例では（例えば、複数搬送波ｍｍＷシステムでは）、複数の搬送波（例えば、または複数の副帯域または複数のＢＷＰ）は、同じアンテナパネルを共有してもよい。したがって、所定の搬送波に対するビームがある方向を指す場合、アンテナパネルを共有するすべての搬送波（例えば、または副帯域またはＢＷＰ）は、（例えば、副帯域自体が搬送波周波数よりも著しく小さい帯域幅に及ぶ場合、帯域幅に渡る軽微な角度変化に対応するために）同じ方向を指すように制約されるかもしれない。代替的に、各搬送波（または、搬送波のサブセット、副帯域、副帯域のサブセット、ＢＷＰ等）は、（例えば、異なる搬送波が異なる方向を同時に指すことができるように）異なるアンテナパネルを使用してもよい。
【００５１】
［００６０］
いくつかの態様では、ワイヤレス通信システム１００は、疑似コロケートされているアンテナポートを通しての通信をサポートするように構成されていてもよい。一般的に、１つのアンテナポート上におけるシンボルが伝達されるチャネルの空間パラメータを、他のアンテナポート上におけるシンボルが伝達されるチャネルの空間パラメータから推測できる場合に、２つ以上のアンテナポートは疑似コロケートされているとみなしてもよい。いくつかの態様では、空間パラメータは、遅延スプレッド、ドップラースプレッド、ドップラーシフト、平均利得、平均遅延、発射角、到来角等のうちの１つ以上を（単独または任意の組み合わせで）含んでいてもよい。
【００５２】
［００６１］
所定のサブフレーム内で、ＵＥ１１５は、あるアンテナポート間のＱＣＬ関連性を仮定することができるかもしれない。例えば、担当セルに対して送信モード１から９で構成されているＵＥ１１５は、担当セルのアンテナポート０〜３、５、および、７〜２２は、ドップラーシフト、ドップラースプレッド、平均遅延、および、遅延スプレッドに関して疑似コロケートされていると仮定してもよい。しかしながら、いくつかのケースでは、このような暗黙の仮定は禁止されるかもしれない。例えば、基地局１０５における異なるタイプの潜在的インプリメンテーション（例えば、同じのアンテナパネル上の複数の搬送波、パネル毎に１つの搬送波等）が理由で、ＵＥ１１５は、異なる搬送波（例えば、または副帯域またはＢＷＰ）に渡るアンテナポートＱＣＬ空間パラメータ間の何らかの関連性を仮定できないかもしれない。さまざまな例において、ＵＥ１１５は、第１の副帯域（例えば、ダウンリンク副帯域）に関係する第１のアンテナポートのＱＣＬ空間パラメータを使用して、第２の副帯域（例えば、別のダウンリンク副帯域またはアップリンク副帯域）に関係する別のアンテナポートの空間パラメータを推定することから利益を得てもよい。このようなケースでは、基地局１０５は、ＵＥ１１５に、複数の副帯域間の空間関連性（またはＱＣＬ関連性）の表示を提供してもよい。
【００５３】
［００６２］
図２は、本開示のさまざまな態様にしたがう、ワイヤレス通信システム２００の例を図示している。ワイヤレス通信システム２００は、基地局１０５−ａとＵＥ１１５−ａを含み、これらのそれぞれは、図１を参照して説明した対応するデバイスの例であってもよい。ワイヤレス通信システム２００は、基地局１０５−ａとＵＥ１１５−ａとの間でビーム形成された送信に関係する周波数範囲で動作してもよい。例えば、ワイヤレス通信システム２００は、ｍｍＷ周波数範囲を使用して動作してもよい。結果として、ビーム形成のような信号処理技術を使用して、通信品質を向上させてもよい。ワイヤレス通信システム２００は、副帯域間（または搬送波間またはＢＷＰ間）空間ＱＣＬ関連性のシグナリングをサポートして、基地局１０５−ａとＵＥ１１５−ａとの間の効率的な通信を可能にしてもよい。
【００５４】
［００６３］
例として、基地局１０５−ａは、複数のアンテナを含んでいてもよい。いくつかのケースでは、（例えば、所望の方向にビームをステアリングするためにおよび／またはビームの幅を制御するために）位相シフトされたバージョンが、ある領域で強め合って干渉し、他で弱め合って干渉するように、各アンテナは、位相シフトされたバージョンの信号を送信してもよい。強い強め合う干渉が生じる領域は、いくつかのケースでは、ビームとして呼ばれることがある。（例えば、振幅変調を達成するために）さまざまな位相シフトされたバージョンに重み付けを適用してもよい。このような技術（または、類似した技術）は、基地局１０５−ａのカバレッジエリア１１０−ａを増加させることを担ってもよく、またはそうでなければ、ワイヤレス通信システム２００に利益をもたらしてもよい。
【００５５】
［００６４］
送信ビーム２０５は、（例えば、１つ以上の搬送波を使用して）情報が送信されてもよいビームの例を表す。したがって、各送信ビーム２０５は、基地局１０５−ａからカバレッジエリア１１０−ａの異なる領域の方に向けられてもよく、いくつかのケースでは、２つ以上のビームがオーバーラップしてもよい。複数の送信ビーム２０５が、同時にまたはシーケンシャルに送信されてもよい。いずれのケースにおいても、ＵＥ１１５−ａは、受信ビーム２１０を介して、基地局１０５−ａの１つ以上の送信ビーム２０５を受信できるかもしれない。
【００５６】
［００６５］
１つの例では、ＵＥ１１５−ａは、受信ビーム２１０−ａ、２１０−ｂを形成してもよい。基地局１０５−ａと同様に、ＵＥ１１５−ａは、複数のアンテナを含んでいてもよい。いくつかのケースでは、受信ビーム２１０−ａ、２１０−ｂは、送信ビーム２０５−ａと送信ビーム２０５−ｂを通して送られる信号をそれぞれ受信してもよい。送信ビーム２０５−ｂを通して送信される信号は、ＵＥ１１５−ａのそれぞれのアンテナへの途中で、異なるパス損失と位相シフトを経験することから、そして、各受信ビーム２１０−ａ、２１０−ｂは、ＵＥ−１１５ａのアンテナ（例えば、または、アンテナポート）を異なって重み付けすることから、受信ビーム２１０−ａを通して受信される信号は、受信ビーム２１０−ｂを通して受信される信号とは異なる信号特性を有しているかもしれない。信号品質における類似した相違が、送信ビーム２１０−ｂを通して送信される信号に対して観測されるかもしれない。ＵＥ１１５−ａは、受信した信号品質に基づいて、送信ビーム２０５と受信ビーム２１０を選択してもよい。送信ビーム２０５と対応する受信ビーム２１０は、ビームペアとして呼ばれることがある。
【００５７】
［００６６］
上記の例は、（例えば、基地局１０５−ａにおいて送信ビーム２０５が発せられるように）ダウンリンク送信に関して説明しているが、アップリンク送信に対する類似した考察が本開示の範囲中に含まれることを理解すべきである。例えば、ＵＥ１１５−ａは、（示していない）複数のＵＥ送信ビームを通して信号を送信してもよく、これらは、１つ以上の基地局受信ビームを通して基地局１０５−ａにおいて受信される。
【００５８】
［００６７］
いくつかのケースでは、基地局１０５−ａは、ＵＥ１１５−ａとの通信に使用される、副帯域、搬送波、または、ＢＷＰ間の空間ＱＣＬ関連性をシグナリングしてもよい。各副帯域は、基地局１０５−ａにおける異なるアンテナアレイに、または、同じアンテナアレイに関係していてもよい。いくつかの例では、ＵＥ１１５−ａは、基地局１０５−ａによってシグナリングされた、受信した空間ＱＣＬ関連性を使用して、基地局１０５−ａに送信を送るための、または、基地局１０５−ａからの送信を受信するための適切な空間パラメータを決定してもよい。結果として、基地局１０５−ａからのシグナリングは、送信されたシグナリングに基づいて、ＵＥ１１５−ａが通信のための空間パラメータを効果的に識別できるようにしてもよい。例えば、送信コンフィギュレーションインジケータが、基地局１０５−ａによってシグナリングされてもよく、これは、基地局１０５−ａの異なるアンテナポートに関係するダウンリンク信号（例えば、基準信号）間のＱＣＬ関連性を示してもよい。このようなケースでは、ＵＥ１１５−ａは、空間ＱＣＬ関連性に基づいて、受信ビーム２１０またはＵＥ送信ビームを選択してもよい。さらに、ＵＥ１１５−ａは、空間ＱＣＬ関連性に基づいて、シグナリングを送信および受信するために、ビーム形成重み付けのセットを調節してもよい。したがって、ここで説明する技術は、異なる搬送波、副帯域、または、ＢＷＰ間の空間パラメータにおける相違に対処することにより、通信効率性を向上させることができる。
【００５９】
［００６８］
図３は、本開示のさまざまな特定の態様にしたがう、システム中の送信ダイヤグラム３００を図示している。送信ダイヤグラム３００は、図１および２を参照して説明したような、ＵＥ１１５および／または基地局１０５に適用してもよい。送信ダイヤグラム３００は、５本の物理アンテナ３１０を含んでいる。図示するように、５本すべての物理アンテナ３１０は、単一のアンテナパネル３０５内に位置付けられている。代替的に、物理アンテナ３１０は、本開示の範囲から逸脱することなく、（例えば、破線のボックスを参照して図示するように）複数のアンテナパネルにグループ化されていてもよい。５本の物理アンテナ３１０は、説明のために描かれており、物理アンテナ３１０の実際の数は変化してもよい。
【００６０】
［００６９］
いくつかのケースでは、物理アンテナ３１０のうちの１本以上が、所定のアンテナポートに対応していてもよい。アンテナポートは、必ずしも特定の物理アンテナ３１０に対応している必要はないが、代わりに、とりわけ、複数のアンテナ３１０を使用してビーム形成することを可能にするために導入される、より一般的な概念である。したがって、アンテナポートと物理アンテナ３１０の数は同じである必要はない；アンテナポートの数は、物理アンテナ３１０の数未満であってもよく、または、物理アンテナ３１０の数と等しくてもよい。
【００６１】
［００７０］
例として、物理アンテナ３１０−ａおよび３１０−ｂの出力は、送信ビーム３１５−ａを形成してもよい（例えば、これは、図２を参照して説明した送信ビームの例であってもよい）。物理アンテナ３１０−ａおよび３１０−ｂは、同じアンテナポートまたはそれぞれのアンテナポートに関係していてもよい。この例では、物理アンテナ３１０−ａおよび３１０−ｂは、同じアンテナポートに関係している。同様に、物理アンテナ３１０−ｃ、３１０−ｄ、３１０−ｅの出力は、送信ビーム３１５−ｂを形成してもよい（例えば、これは、図２を参照して説明した送信ビームの例であってもよい）。説明のために、物理アンテナ３１０−ｃ、３１０−ｄ、３１０−ｅは、（例えば、物理アンテナ３１０−ａと３１０−ｂのアンテナポートとは異なる）同じアンテナポートに関係していると仮定される。したがって、この例では、５本の物理アンテナ３１０は、簡略化のために２つのアンテナポートに関係しており；より多くのアンテナポート（例えば、合計５つまで）を使用してもよい。さらに、いくつかのケースでは、１本以上のアンテナをアンテナの異なるセット間で共有してもよい。
【００６２】
［００７１］
本例の２つのアンテナポートは、同じ副帯域３３０に関係している場合、疑似コロケートされているとみなしてもよい。上記で説明したように、１つのアンテナポート上におけるシンボルが伝達されるチャネルの空間パラメータが、他のアンテナポート上におけるシンボルが伝達されるチャネルの空間パラメータから推測できる場合に、アンテナポートは、疑似コロケートされているとみなされてもよい。したがって、送信ビーム３１５−ａ、３１５−ｂが、同じ副帯域３３０上で送信されるケースでは、１つのアンテナポートに関係する信号の復調は、他のアンテナポートに関係する信号の復調（例えば、または、変調）を促進するように活用されてもよい。同じ副帯域３３０である２つの副帯域３３０のケースでは、これらは依然として副帯域間ＱＣＬをサポートしてもよい。しかしながら、本例では、送信ビーム３１５−ａ、３１５−ｂは、それぞれの副帯域３３０−ａ、３３０−ｂを通して送信される。各副帯域３３０は、任意の数の時間間隔３２５に対する任意の数の（例えば、１つ以上の）周波数間隔３２０に及んでもよい。例えば、各周波数間隔が帯域幅において１００ＭＨｚであるケースでは、副帯域３３０−ａは２００ＭＨｚであってもよく、副帯域３３０−ｂは３００ＭＨｚであってもよい。いくつかのケースでは、副帯域３３０は、所定の通信システムに対して同じ幅であるように構成されていてもよい。連続的な時間−周波数リソースを含むように図示しているが、（例えば、搬送波の）所定の副帯域３３０は、代替的に、不連続な方法でリソースグリッドに渡って分散させてもよいことを理解すべきである。
【００６３】
［００７２］
（例えば、同じパネル上のまたは異なるパネルからのアンテナを使用して）異なる基地局１０５が、送信を異なってビーム形成するかもしれないことから、ＵＥ１１５は、異なる副帯域３３０に渡るアンテナポート間の何らかのＱＣＬ空間関連性を暗黙的に決定しないかもしれない。さらに、いくつかのケースでは、ＵＥ１１５は、１つの搬送波を通してダウンリンク送信を受信し、異なる搬送波を通してアップリンク応答を送信するかもしれない。搬送波に渡るＱＣＬ空間関連性を仮定する際の制約により、ＵＥ１１５は、ダウンリンク受信ビームに基づいて、使用されるアップリンク送信ビームを暗黙的に決定できないかもしれない。しかしながら、ここで説明する空間ＱＣＬ関連性シグナリングの使用を通して、ＵＥ１１５は、ＱＣＬ関連性（例えば、両方の副帯域３３０上で送信されるアップリンク信号間の、または、両方の副帯域３３０上で送信されるダウンリンク信号間の、空間ＱＣＬ関連性）、または、相互ＱＣＬ関連性（例えば、副帯域３３０−ａ上で送信されるダウンリンク信号と副帯域３３０−ｂ上で送信されるアップリンク信号との間の相互ＱＣＬ関連性、または、逆もまた同じである）を識別できるかもしれない。これらの空間ＱＣＬ関連性を使用して、ＵＥ１１５は、基地局１０５との通信のために使用される適切な受信ビームと送信ビームを決定してもよい。
【００６４】
［００７３］
図４は、本開示のさまざまな態様にしたがう、副帯域送信４００の例を図示している。いくつかの例では、副帯域送信４００は、ワイヤレス通信システム１００の態様を実現してもよい。副帯域送信４００は、基地局１０５−ｂとＵＥ１１５０ｂとの間の通信を含み、これらのそれぞれは、図１から３を参照して上記で説明した対応するデバイスの例であってもよい。
【００６５】
［００７４］
図示するように、基地局１０５−ｂは、第１の副帯域４０５−ａと第２の副帯域４０５−ｂを通して、それぞれの送信をＵＥ１１５−ｂに送ってもよい。本開示の態様にしたがうと、（例えば、ＵＥ１１５−ｂは、このようなＱＣＬ関連性を暗黙的に仮定することができないかもしれないことから）基地局１０５−ｂは、第１の副帯域４０５−ａ上のダウンリンク送信が第２の副帯域４０５−ａ上のダウンリンク送信と疑似コロケートされていることをＵＥ１１５−ｂにシグナリングしてもよい。例えば、基地局１０５−ｂは、送信コンフィギュレーションインジケータを使用して、ＱＣＬ関連性の表示をＵＥ１１５−ｂにシグナリングしてもよい。いくつかの例では、基地局１０５−ｂは、どの空間パラメータ（例えば、ビーム幅、点角等）が疑似コロケートされているものとして取り扱われているかを具体的に示してもよく、追加的にまたは代替的に、ＱＣＬタイプを示してもよい。ＵＥ１１５−ｂは、この情報を利用して、（例えば、第１の副帯域４０５−ａを受信するために使用した、受信したビーム空間パラメータに基づいて）第２の副帯域４０５−ｂを通してのダウンリンク送信を受信してもよい。
【００６６】
［００７５］
本開示のさまざまな態様において、空間ＱＣＬ関連性は、異なるチャネルまたは信号に渡って適用してもよい。例えば、第１の副帯域４０５−ａと第２の副帯域４０５−ｂは、物理ダウンリンク制御チャネル（ＰＤＣＣＨ）復調基準信号（ＤＭＲＳ）、物理ダウンリンク共有チャネル（ＰＤＳＣＨ）ＤＭＲＳ、チャネル状態情報基準信号（ＣＳＩ−ＲＳ）、および、同期信号（ＳＳ）のうちの１つ以上を搬送してもよい。いくつかのケースでは、同期信号は、（例えば、１次同期信号（ＰＳＳ）、２次同期信号（ＳＳＳ）、および、物理ブロードキャストチャネル（ＰＢＣＨ）のようなブロードキャストチャネルを含む）同期信号ブロック、または、同期信号バースト中に含まれる１つ以上の同期信号ブロックを含んでいてもよい。空間ＱＣＬ関連性は、副帯域４０５に渡るこれらのチャネルの任意のサブセット間で特定されてもよい。例えば、空間ＱＣＬ関連性は、第１の副帯域４０５−ａのＰＤＣＣＨ  ＤＭＲＳと第２の副帯域４０５−ｂのＰＤＳＣＨ  ＤＭＲＳとに渡って適用してもよい。
【００６７】
［００７６］
空間ＱＣＬ関連性をシグナリングするためのさまざまな技術は、本開示の範囲内であるとみなされる。例えば、シグナリングは、ＲＲＣシグナリング、ＭＡＣ制御要素（ＣＥ）シグナリング、ダウンリンク制御情報（ＤＣＩ）シグナリング、または、これらの任意の組み合わせを介したものであってもよい。上記で説明したように、シグナリングは、空間ＱＣＬ関連性が副帯域間に存在するか否かを、および／または、どの空間パラメータが疑似コロケートされているものとして取り扱われているかを特定してもよい。（例えば、副帯域４０５に加えて、またはその代わりに）同じ概念を異なる搬送波に渡る空間ＱＣＬ関連性に適用してもよいことを理解すべきである。
【００６８】
［００７７］
図５は、本開示のさまざまな態様にしたがう、副帯域送信５００の例を図示している。いくつかの例では、副帯域送信５００は、ワイヤレス通信システム１００の態様を実現してもよい。副帯域送信５００は、基地局１０５−ｃとＵＥ１１５−ｃとの間の通信を含み、これらのそれぞれは、図１、２、および５を参照して上記で説明した対応するデバイスの例であってもよい。
【００６９】
［００７８］
図示するように、基地局１０５−ｃは、第１の副帯域５０５−ａを通してダウンリンク送信（例えば、ダウンリンク基準信号）をＵＥ１５−ｃに送り、第２の副帯域５０５−ｂを通してＵＥ１５−ｃからのアップリンク送信を受信してもよい。本開示の態様にしたがうと、基地局１０５−ｃは、第１の副帯域５０５−ａを通して送信されたダウンリンク基準信号に対応する受信ビームから導出した送信ビームに対して、第２の副帯域５０５−ｂを使用するように、ＵＥ１１５−ｃにシグナリングしてもよい。すなわち、基地局１０５−ｃは、相互ＱＣＬ関連性を示してもよい。副帯域送信４００のように、基地局１０５−ｃは、どの空間パラメータ（例えば、ビーム幅、点角等）が疑似コロケートされているものとして取り扱われているかを具体的に示してもよい。ＵＥ１１５−ｃは、この情報を利用して、（例えば、第１の副帯域５０５−ａを受信するために使用した、受信したビーム空間パラメータに基づいて）第２の副帯域５０５−ｂを通してアップリンク送信を送信してもよい。
【００７０】
［００７９］
本開示のさまざまな態様において、相互空間ＱＣＬ関連性を、異なるチャネルに渡って適用してもよい。例えば、第１の副帯域５０５−ａは、ＰＤＣＣＨ  ＤＭＲＳ、ＰＤＳＣＨ  ＤＭＲＳ、ＣＳＩ−ＲＳ、および、ＳＳのうちの１つ以上を搬送してもよい。第２の副帯域５０５−ｂは、物理アップリンク共有チャネル（ＰＵＳＣＨ）ＤＭＲＳ、物理アップリンク制御チャネル（ＰＵＣＣＨ）ＤＭＲＳ、サウンディング基準信号（ＳＲＳ）、および、ランダムアクセスチャネル（ＲＡＣＨ）のうちの１つ以上を搬送してもよい。いくつかの例では、第２の副帯域５０５−ｂ上のＲＡＣＨシグナリングは、第１の副帯域５０５−ａ上で使用されているＳＳ（例えば、ＳＳブロックまたはＳＳバースト）とともに使用してもよい。副帯域５０５に渡るこれらのチャネルの任意のサブセット間で、相互空間ＱＣＬ関連性を特定できる。例えば、相互空間ＱＣＬ関連性は、第１の副帯域５０５−ａのＰＤＣＣＨ  ＤＭＲＳと第２の副帯域５０５−ｂのＰＵＣＣＨ  ＤＭＲＳに渡って適用してもよい。追加的にまたは代替的に、相互空間ＱＣＬ関連性は、第１の副帯域５０５−ａのＣＳＩ−ＲＳと第２の副帯域５０５−ｂのＳＲＳに渡って適用してもよい。相互空間ＱＣＬ関連性は、搬送波の任意の組み合わせのための相互空間ＱＣＬも含んでいてもよいことに留意すべきである。例えば、基地局１０５−ｃは、（例えば、関係する送信ポートを使用して）第１の副帯域５０５−ａ上のＳＲＳ送信に基づいて、第２の副帯域５０５−ｂ上でダウンリンクＣＳＩ−ＲＳを送ってもよい。いずれにしても、相互ＱＣＬ関連性の対称性があってもよく、例えば、ＣＳＩ−ＲＳのダウンリンク送信とＳＲＳのアップリンク送信との間に、同様に、ＳＲＳのアップリンク送信とＣＳＩ−ＲＳのダウンリンク送信との間に相互ＱＣＬ関連性がある。
【００７１】
［００８０］
相互空間ＱＣＬ関連性をシグナリングするためのさまざまな技術は、本開示の範囲内であるとみなされる。例えば、シグナリングは、ＲＲＣシグナリング、ＭＡＣ  ＣＥシグナリング、ＤＣＩシグナリング、または、これらの任意の組み合わせを介したものであってもよい。上記で説明したように、シグナリングは、副帯域間に相互空間ＱＣＬ関連性が存在するか否か、および／または、どの空間パラメータが疑似コロケートされているものとして取り扱われているかを特定してもよい。（例えば、副帯域５０５に加えて、または、副帯域５０５の代わりに）異なる搬送波およびＢＷＰに渡って空間ＱＣＬ関連性に同じ概念を適用してもよいことを理解すべきである。
【００７２】
［００８１］
図６は、本開示のさまざまな特定の態様にしたがう、例示的なプロセスフロー６００を図示している。プロセスフロー６００は、基地局１０５−ｄとＵＥ１１５−ｄを含み、これらのそれぞれは、図１から５を参照して上記で説明した対応するデバイスの例であってもよい。
【００７３】
［００８２］
６０５において、基地局１０５−ｄは、ＵＥ１１１５−ｄとの通信のための、システム帯域幅の第１の副帯域と第２の副帯域とを構成してもよい。いくつかの例では、第１の副帯域と第２の副帯域は、同じであってもよい。上記で説明したように、本開示の範囲から逸脱することなく、第１の副帯域は、代替的に（例えば、複数の副帯域を含んでいてもよい）第１搬送波であってもよく、第２の副帯域は、第２の搬送波であってもよい。
【００７４】
［００８３］
６１０において、基地局１０５−ｄは、第１の副帯域と第２の副帯域との間の空間ＱＣＬ関連性を決定してもよい。いくつかのケースでは、空間ＱＣＬ関連性を決定することは、（例えば、図５を参照して上記で説明したように）第１の副帯域と第２の副帯域とに渡る相互ＱＣＬ関連性を決定することを含む。すなわち、相互ＱＣＬ関連性は、第１の副帯域上で送信される１つ以上のダウンリンク信号のＵＥ１１５−ｄによる受信のためと、第２の副帯域上で送信される１つ以上のアップリンク信号のＵＥ１１５−ｄによる送信のために使用される空間パラメータに関係していてもよい。
【００７５】
［００８４］
６１５において、基地局１０５−ｄは、システム帯域幅の第１の副帯域と第２の副帯域との間の空間ＱＣＬ関連性を示すシグナリングを送信してもよい（例えば、そして、ＵＥ１１５−ｄは受信してもよい）。いくつかのケースでは、ＱＣＬシグナリングは、ＲＲＣメッセージング、ＭＡＣ  ＣＥ、ＤＣＩ、または、これらのいくつかの組み合わせを通して通信される。いくつかのケースでは、６０５および６１５は、（例えば、同じ制御シグナリングを使用して）同時に実行してもよい。
【００７６】
［００８５］
６２０において、基地局１０５−ｄは、第１の副帯域を通してダウンリンク送信を送信してもよい（例えば、そして、ＵＥ１１５−ｄは受信してもよい）。ダウンリンク送信は、ＰＤＣＣＨ  ＤＭＲＳ、ＰＤＳＣＨ  ＤＭＲＳ、ＣＳＩ−ＲＳ、または、ＳＳのうちの１つ以上を含んでいてもよい。６２５において、ＵＥ１１５−ｄは、６２０におけるダウンリンク送信の受信のために使用された空間パラメータに基づいて、第２の副帯域を介しての基地局１０５−ｄとの通信のための空間パラメータを導出してもよい。いくつかのケースでは、空間パラメータは、６１５において示した空間ＱＣＬ関連性に基づいて導出される。
【００７７】
［００８６］
空間パラメータは、点角、ビーム幅、ビーム方向、遅延スプレッド、ドップラースプレッド、ドップラーシフト、平均利得、平均遅延、または、これらの任意の組み合わせを含んでいてもよい。いくつかのケースでは、空間パラメータを導出することは、（例えば、６３０において識別される）送信ビームのためのパラメータを導出することを含み、導出したパラメータは、６２０においてダウンリンク送信の受信のために使用された空間パラメータによって規定される機能と相互関係にある機能に対するものである。例えば、導出したビーム方向は、アップリンク送信のために使用してもよく、これは、空間パラメータが導出されたダウンリンク送信と相互関係にある。
【００７８】
［００８７］
６３０において、ＵＥ１１５−ｄは、空間ＱＣＬ関連性に基づいて、第２の副帯域を介しての基地局１０５−ｄとの通信のための送信ビームを識別してもよい。いくつかのケースでは、ＵＥ１１５−ｄは、６２０におけるダウンリンク送信の受信のために使用された空間パラメータに関係するアナログビーム形成重み付けのセットを識別してもよい。これらのアナログビーム形成重み付けは、６１５において示されている空間ＱＣＬ関連性に基づいて、送信ビームのために調節してもよい。
【００７９】
［００８８］
６３５において、ＵＥ１１５−ｄは、６３０において決定した送信ビームと、６２５において導出した空間パラメータとを使用して、第２の副帯域上でアップリンク制御情報を送信してもよい（例えば、そして、基地局１０５−ｄは受信してもよい）。アップリンク制御情報は、ＰＵＣＣＨ  ＤＭＲＳ、ＰＵＳＣＨ  ＤＭＲＳ、ＳＲＳ、ＲＡＣＨ、または、これらの任意の組み合わせを含んでいてもよい。
【００８０】
［００８９］
図７は、本開示のさまざまな特定の態様にしたがう、例示的なプロセスフロー７００を図示している。プロセスフロー７００は、基地局１０５−ｅとＵＥ１１５−ｅとを含み、これらのそれぞれは、図１から６を参照して上記で説明した対応するデバイスの例であってもよい。
【００８１】
［００９０］
７０５において、基地局１０５−ｅは、ＵＥ１５−ｅとの通信のための、システム帯域幅の第１の副帯域と第２の副帯域とを構成してもよい。上記で説明したように、本開示の範囲から逸脱することなく、第１の副帯域は、代替的に（例えば、複数の副帯域を含んでいてもよい）第１搬送波であってもよく、第２の副帯域は、第２の搬送波であってもよい。
【００８２】
［００９１］
７１０において、基地局１０５−ｅは、第１の副帯域と第２の副帯域との間の空間ＱＣＬ関連性を決定してもよい。いくつかのケースでは、空間ＱＣＬ関連性を決定することは、図４を参照して上記で説明したように、第１の副帯域と第２の副帯域とに渡るＱＣＬ関連性を決定することを含む。すなわち、ＱＣＬ関連性は、第１の副帯域上で送信される第１のダウンリンク信号のＵＥによる受信のためと、第２の副帯域上で送信される第２のダウンリンク信号のＵＥによる受信のための空間パラメータに関係していてもよい。
【００８３】
［００９２］
７１５において、基地局１０５−ｅは、システム帯域幅の第１の副帯域と第２の副帯域との間の空間ＱＣＬ関連性を示すシグナリングを送信してもよい（例えば、そして、ＵＥ１１５−ｅは受信してもよい）。いくつかのケースでは、ＱＣＬシグナリングは、ＲＲＣメッセージング、ＭＡＣ  ＣＥ、ＤＣＩ、または、これらのいくつかの組み合わせを通して通信される。いくつかのケースでは、７０５および７１５は、（例えば、同じ制御シグナリングを使用して）同時に実行してもよい。いくつかのケースでは、ＵＥ１１５−ｅは、第１の副帯域と第２の副帯域に渡るＱＣＬ関連性として、空間ＱＣＬ関連性を適用してもよく、ＱＣＬ関連性は、第１の副帯域上のダウンリンク送信を介して受信される第１のダウンリンク信号の受信のためと、第２の副帯域上で受信される第２のダウンリンク信号の受信のために使用される空間パラメータに関係していてもよい。追加的にまたは代替的に、ＱＣＬ関連性は、第１の副帯域上の第１のアップリンク信号の送信のためと、第２の副帯域上で送信される第２のアップリンク信号の送信のために使用される空間パラメータに関係していてもよい。
【００８４】
［００９３］
７２０において、基地局１０５−ｅは、第１の副帯域を通してダウンリンク送信を送信してもよい（例えば、そして、ＵＥ１１５−ｅは受信してもよい）。第１のダウンリンク送信は、ＰＤＣＣＨ  ＤＭＲＳ、ＰＤＳＣＨ  ＤＭＲＳ、ＣＳＩ−ＲＳ、または、ＳＳのうちの１つ以上を含んでいてもよい。７２５において、ＵＥ１１５−ｅは、７２０におけるダウンリンク送信の受信のために使用された空間パラメータに基づいて、第２の副帯域を介しての基地局１０５−ｅとの通信のための空間パラメータを導出してもよい。いくつかのケースでは、空間パラメータは、７１５において示した空間ＱＣＬ関連性に基づいて導出される。空間パラメータは、点角、ビーム幅、ビーム方向、遅延スプレッド、ドップラースプレッド、ドップラーシフト、平均利得、平均遅延、または、これらの任意の組み合わせを含んでいてもよい。いくつかのケースでは、空間パラメータを導出することは、（例えば、７３０において識別される）受信ビームのためのパラメータを導出することを含む。
【００８５】
［００９４］
７３０において、ＵＥ１１５−ｅは、空間ＱＣＬ関連性に基づいて、第２の副帯域を介しての基地局１０５−ｅとの通信のための受信ビームを識別してもよい。いくつかのケースでは、受信ビームを識別することは、７２０におけるダウンリンク送信の受信のために使用された空間パラメータに関係するアナログビーム形成重み付けのセットを識別することを含んでいてもよい。これらのアナログビーム形成重み付けは、７１５において示した空間ＱＣＬ関連性に基づいて、受信ビームのために調節してもよい。
【００８６】
［００９５］
７３５において、ＵＥ１１５−ｅは、７３０において決定した受信ビームと７２５において導出した空間パラメータとを使用して、第２の副帯域上で第２のダウンリンク送信を受信してもよい（例えば、そして、基地局１０５−ｅは送信してもよい）。第２のダウンリンク送信は、ＰＤＣＣＨ  ＤＭＲＳ、ＰＤＳＣＨ  ＤＭＲＳ、ＣＳＩ−ＲＳ、または、ＳＳのうちの１つ以上を含んでいてもよい。
【００８７】
［００９６］
図８は、本開示の態様にしたがう、ワイヤレスデバイス８０５のブロックダイヤグラム８００を示している。ワイヤレスデバイス８０５は、ここで説明したようなＵＥ１１５の態様の例であってもよい。デバイス８０５は、受信機８１０、ＵＥ通信マネージャー８１５、および、送信機８２０を含んでいてもよい。ワイヤレスデバイス８０５はまた、プロセッサを含んでいてもよい。これらのコンポーネントのそれぞれは、（例えば、１つ以上のバスを介して）互いに通信してもよい。
【００８８】
［００９７］
受信機８１０は、さまざまな情報チャネル（例えば、制御チャネル、データチャネル、副帯域間疑似コロケーションシグナリングに関連する情報、等）に関係する、パケット、ユーザデータ、または、制御情報のような情報を受信してもよい。情報は、デバイスの他のコンポーネントに伝えられてもよい。受信機８１０は、図１１を参照して説明するトランシーバ１１３５の態様の例であってもよい。受信機８１０は、単一のアンテナまたはアンテナのセットを利用してもよい。
【００８９】
［００９８］
ＵＥ通信マネージャー８１５は、図１１を参照して説明するＵＥ通信マネージャー１１１５の態様の例であってもよい。ＵＥ通信マネージャー８１５および／またはそのさまざまなサブコンポーネントのうち少なくともいくつかは、ハードウェア、プロセッサによって実行されるソフトウェア、ファームウェア、または、これらの任意の組み合わせで実現してもよい。プロセッサによって実行されるソフトウェア中で実現する場合、ＵＥ通信マネージャー８１５および／またはそのさまざまなサブコンポーネントのうちの少なくともいくつかの機能は、汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス、ディスクリートゲートまたはトランジスタ論理、ディスクリートハードウェアコンポーネント、あるいは、本開示において説明した機能を実行するように設計された、これら任意の組み合わせによって実行してもよい。
【００９０】
［００９９］
ＵＥ通信マネージャー８１５および／またはそのさまざまなサブコンポーネントのうちの少なくともいくつかは、さまざまなポジションにおいて物理的に位置付けられていてもよく、これは、機能の一部分が１つ以上の物理デバイスによって異なる物理的ロケーションで実現されるように分散されることを含む。いくつかの例では、ＵＥの通信マネージャー８１５および／またはそのさまざまなサブコンポーネントのうちの少なくともいくつかは、本開示のさまざまな態様にしたがう、別のおよび別個のコンポーネントであってもよい。他の例では、ＵＥ通信マネージャー８１５および／またはそのさまざまなサブコンポーネントのうちの少なくともいくつかは、１つ以上の他のハードウェアコンポーネントと組み合わされてもよく、１つ以上の他のハードウェアコンポーネントは、Ｉ／Ｏコンポーネント、トランシーバ、ネットワークサーバ、別のコンピューティングデバイス、本開示で説明した１つ以上の他のコンポーネント、または、本開示のさまざまな態様したがうこれらの組み合わせを含むが、これらに限定されない。
【００９１】
［０１００］
ＵＥ通信マネージャー８１５は、システム帯域幅の第１の副帯域と第２の副帯域との間の空間ＱＣＬ関連性を示すシグナリングを基地局１０５から受信し、空間ＱＣＬ関連性に基づいて、第２の副帯域を介しての基地局１０５との通信のための空間パラメータを導出し、導出した空間パラメータを使用して、第２の副帯域を介して基地局１０５と通信してもよい。導出したパラメータは、第１の副帯域を介しての基地局からのダウンリンク送信の受信のために使用される空間パラメータに基づいていてもよい。
【００９２】
［０１０１］
送信機８２０は、デバイスの他のコンポーネントによって発生させた信号を送信してもよい。いくつかの例では、送信機８２０は、トランシーバモジュール中の受信機８１０と同じ位置に配置されていてもよい。例えば、送信機８２０は、図１１を参照して説明するトランシーバ１１３５の態様の例であってもよい。送信機８２０は、単一のアンテナまたはアンテナのセットを利用してもよい。
【００９３】
［０１０２］
図９は、本開示のさまざまな態様にしたがう、ワイヤレスデバイス９０５のブロックダイヤグラム９００を示している。ワイヤレスデバイス９０５は、図８を参照して説明したような、ワイヤレスデバイス８０５またはＵＥ１１５の態様の例であってもよい。ワイヤレスデバイス９０５は、受信機９１０、ＵＥ通信マネージャー９１５、および、送信機９２０を含んでいてもよい。ワイヤレスデバイス９０５はまた、プロセッサを含んでいてもよい。これらコンポーネントのそれぞれは、（１つ以上のバスを介して）互いに通信してもよい。
【００９４】
［０１０３］
受信機９１０は、さまざまな情報チャネル（例えば、制御チャネル、データチャネル、副帯域間疑似コロケーションシグナリングに関連する情報、等）に関係する、パケット、ユーザデータ、または、制御情報のような情報を受信してもよい。情報は、デバイスの他のコンポーネントに伝えられてもよい。受信機９１０は、図１１を参照して説明するトランシーバ１１３５の態様の例であってもよい。受信機９１０は、単一のアンテナまたはアンテナのセットを利用してもよい。
【００９５】
［０１０４］
ＵＥ通信マネージャー９１５は、図１１を参照して説明するＵＥ通信マネージャー１１１５の態様の例であってもよい。ＵＥ通信マネージャー９１５は、ＵＥ  ＱＣＬ関連性マネージャー９２５、空間パラメータマネージャー９３０、副帯域通信コンポーネント９３５も含んでいてもよい。
【００９６】
［０１０５］
ＵＥ  ＱＣＬ関連性マネージャー９２５は、システム帯域幅の第１の副帯域と第２の副帯域との間の空間ＱＣＬ関連性を示すシグナリングを基地局１０５から受信してもよい。いくつかの例では、ＵＥ  ＱＣＬ関連性マネージャー９２５は、第１の副帯域と第２の副帯域とに渡る相互ＱＣＬ関連性として、空間ＱＣＬ関連性を適用してもよく、相互ＱＣＬ関連性は、第１の副帯域上のダウンリンク送信を介して受信される１つ以上のダウンリンク信号の受信のためと、第２の副帯域上で送信される１つ以上のアップリンク信号の送信のために使用される空間パラメータに関係する。追加的にまたは代替的に、ＵＥ  ＱＣＬ関連性マネージャー９２５は、第１の副帯域と第２の副帯域とに渡るＱＣＬ関連性として、空間ＱＣＬ関連性を適用してもよく、ＱＣＬ関連性は、第１の副帯域上の第１のダウンリンク信号の送信を介して受信される第１のダウンリンク信号の受信のためと、第２の副帯域上で受信される第２のダウンリンク信号の受信のために使用される空間パラメータに関係する。
【００９７】
［０１０６］
いくつかの例では、ＵＥ  ＱＣＬ関連性マネージャー９２５は、ＲＲＣメッセージング、ＭＡＣ  ＣＥ、ＤＣＩ、または、これらの組み合わせを使用してシグナリングを受信してもよい。いくつかのケースでは、１つ以上のダウンリンク信号は、ＰＤＣＣＨ  ＤＭＲＳ、ＰＤＳＣＨ  ＤＭＲＳ、ＣＳＩ−ＲＳ、同期信号、または、これらの任意の組み合わせを含む。加えて、１つ以上のアップリンク信号は、ＰＵＣＣＨ  ＤＭＲＳ、ＰＵＳＣＨ  ＤＭＲＳ、ＳＲＳ、ＲＡＣＨ、または、これらの任意の組み合わせを含んでいてもよい。いくつかのケースでは、第１のダウンリンク信号と第２のダウンリンク信号は、ＰＤＣＣＨ  ＤＭＲＳ、ＰＤＳＣＨ  ＤＭＲＳ、ＣＳＩ−ＲＳ、同期信号、または、これらの任意の組み合わせを含む。いくつかのケースでは、第１の副帯域は第１の搬送波を含み、第２の副帯域は第２の搬送波を含む。追加的または代替的に、第１の副帯域は第１のＢＷＰを含んでいてもよく、第２の副帯域は第２のＢＷＰを含む。
【００９８】
［０１０７］
空間パラメータマネージャー９３０は、第１の副帯域を介しての基地局１０５からのダウンリンク送信の受信のために使用される空間パラメータに基づいている、第２の副帯域を介しての基地局１０５との通信のための空間パラメータを、空間ＱＣＬ関連性に基づいて導出してもよい。いくつかのケースでは、空間パラメータを導出することは、送信ビームに対する空間パラメータを導出することを含んでいてもよく、導出した空間パラメータは、ダウンリンク送信の受信のために使用される空間パラメータによって規定される機能と相互関係にある機能に対するものである。いくつかのケースでは、導出した空間パラメータは、点角、ビーム幅、ビーム方向、または、これらの組み合わせを含んでいる。副帯域通信コンポーネント９３５は、導出した空間パラメータを使用して、第２の副帯域を介して基地局１０５と通信してもよい。いくつかの例では、通信することは、送信ビームを使用して、第２の副帯域上でアップリンク制御情報を送信することを含む。
【００９９】
［０１０８］
送信機９２０は、デバイスの他のコンポーネントによって発生させた信号を送信してもよい。いくつかの例では、送信機９２０は、トランシーバモジュール中の受信機９１０と同じ位置に配置されていてもよい。例えば、送信機９２０は、図１１を参照して説明するトランシーバ１１３５の態様の例であってもよい。送信機９２０は、単一のアンテナまたはアンテナのセットを利用してもよい。
【０１００】
［０１０９］
図１０は、本開示のさまざまな態様にしたがう、ＵＥ通信マネージャー１０１５のブロックダイヤグラム１０００を示す。ＵＥ通信マネージャー１０１５は、図８、９、および１１を参照して説明する、ＵＥ通信マネージャー８１５、ＵＥ通信マネージャー９１５、または、ＵＥ通信マネージャー１１１５の態様の例であってもよい。ＵＥ通信マネージャー１０１５は、ＵＥ  ＱＣＬ関連性マネージャー１０２０、空間パラメータマネージャー１０２５、副帯域通信コンポーネント１０３０、ビームマネージャー１０３５、および、ビーム形成重み付けマネージャー１０４０を含んでいてもよい。これらのモジュールのそれぞれは、（例えば、１つ以上のバスを介して）互いに直接的にまたは間接的に通信してもよい。
【０１０１】
［０１１０］
ＵＥ  ＱＣＬ関連性マネージャー１０２０は、システム帯域幅の第１の副帯域と第２の副帯域との間の空間ＱＣＬ関連性を示すシグナリングを基地局１０５から受信してもよい。いくつかの例では、ＵＥ  ＱＣＬ関連性マネージャー１０２０は、第１の副帯域と第２の副帯域とに渡る相互ＱＣＬ関連性として、空間ＱＣＬ関連性を適用してもよく、相互ＱＣＬ関連性は、第１の副帯域上のダウンリンク送信を介して受信される１つ以上のダウンリンク信号の受信のためと、第２の副帯域上で送信される１つ以上のアップリンク信号の送信のために使用される空間パラメータに関係する。追加的にまたは代替的に、ＵＥ  ＱＣＬ関連性マネージャー１０２０は、第１の副帯域と第２の副帯域とに渡るＱＣＬ関連性として、空間ＱＣＬ関連性を適用してもよく、ＱＣＬ関連性は、第１の副帯域上のダウンリンク送信を介して受信される第１のダウンリンク信号の受信のためと、第２の副帯域上で受信される第２のダウンリンク信号の受信のために使用される空間パラメータに関係する。
【０１０２】
［０１１１］
いくつかの例では、ＵＥ  ＱＣＬ関連性マネージャー１０２０は、ＲＲＣメッセージング、ＭＡＣ  ＣＥ、ＤＣＩ、または、これらの組み合わせを使用して、シグナリングを受信してもよい。いくつかのケースでは、１つ以上のダウンリンク信号は、ＰＤＣＣＨ  ＤＭＲＳ、ＰＤＳＣＨ  ＤＭＲＳ、ＣＳＩ−ＲＳ、同期信号、または、これらの任意の組み合わせを含む。加えて、１つ以上のアップリンク信号は、ＰＵＣＣＨ  ＤＭＲＳ、ＰＵＳＣＨ  ＤＭＲＳ、ＳＲＳ、ＲＡＣＨ、または、これらの任意の組み合わせを含んでいてもよい。いくつかのケースでは、第１のダウンリンク信号と第２のダウンリンク信号は、ＰＤＣＣＨ  ＤＭＲＳ、ＰＤＳＣＨ  ＤＭＲＳ、ＣＳＩ−ＲＳ、同期信号、または、これらの任意の組み合わせを含む。いくつかのケースでは、第１の副帯域は第１の搬送波を含み、第２の副帯域は第２の搬送波を含む。
【０１０３】
［０１１２］
空間パラメータマネージャー１０２５は、第１の副帯域を介しての基地局１０５からのダウンリンク送信の受信のために使用される空間パラメータに基づいている、第２の副帯域を介しての基地局１０５との通信のための空間パラメータを、空間ＱＣＬ関連性に基づいて導出してもよい。いくつかのケースでは、空間パラメータを導出することは、送信ビームに対する空間パラメータを導出することを含んでいてもよく、導出した空間パラメータは、ダウンリンク送信の受信のために使用される空間パラメータによって規定される機能のと相互関係にある機能に対するものである。いくつかのケースでは、導出した空間パラメータは、点角、ビーム幅、ビーム方向、または、これらの組み合わせを含んでいる。
【０１０４】
［０１１３］
副帯域通信コンポーネント１０３０は、導出した空間パラメータを使用して、第２の副帯域を介して基地局１０５と通信してもよい。いくつかの例では、基地局１０５と通信することは、送信ビームを使用して、第２の副帯域上でアップリンク制御情報を送信することを含む。いくつかの例では、第１の副帯域と第２の副帯域は、同じであってもよい。追加的または代替的に、通信することは、受信ビームを使用して、第２の副帯域上で第２のダウンリンク送信を受信することを含んでいる。
【０１０５】
［０１１４］
ビームマネージャー１０３５は、空間ＱＣＬ関連性に基づいて、第２の副帯域を介しての基地局１０５との通信のための送信ビームを識別してもよい。追加的または代替的に、ビームマネージャー１０３５は、空間ＱＣＬ関連性に基づいて、第２の副帯域を介しての基地局１０５との通信のための受信ビームを識別してもよい。
【０１０６】
［０１１５］
ビーム形成重み付けマネージャー１０４０は、ダウンリンク送信の受信のために使用される空間パラメータに関係するアナログビーム形成重み付けのセットを識別し、空間ＱＣＬ関連性に基づいて、送信ビームとの使用のために、アナログビーム形成重み付けのセットを調節してもよい。いくつかの例では、ビーム形成重み付けマネージャー１０４０は、ダウンリンク送信の受信のために使用される空間パラメータに関係するアナログビーム形成重み付けのセットを識別してもよく、ダウンリンク送信は、第１のダウンリンク送信であり、空間ＱＣＬ関連性に基づいて、受信ビームとの使用のために、アナログビーム形成重み付けのセットを調節する。いくつかのケースでは、第１のダウンリンク送信はチャネルＣＳＩ−ＲＳを含み、第２のダウンリンク送信はＰＤＳＣＨ  ＤＭＲＳを含んでいる。
【０１０７】
［０１１６］
図１１は、本開示のさまざまな態様にしたがう、デバイス１１０５を含むシステム１１００のダイヤグラムを示している。デバイス１１０５は、例えば、図８および９を参照して上記で説明したような、ワイヤレスデバイス８０５、ワイヤレスデバイス９０５、または、ＵＥ１１５のコンポーネントの例であってもよく、あるいは、これらを含んでいてもよい。デバイス１１０５は、ＵＥ通信マネージャー１１１５、プロセッサ１１２０、メモリ１１２５、ソフトウェア１１３０、トランシーバ１１３５、アンテナ１１４０、および、Ｉ／Ｏ制御装置１１４５を含む、通信を送信および受信するためのコンポーネントを含む双方向の音声およびデータ通信のためのコンポーネントを含んでいてもよい。これらのコンポーネントは、１つ以上のバス（例えば、バス１１１０）を介して電子通信してもよい。デバイス１１０５は、１つ以上の基地局１０５とワイヤレスに通信してもよい。
【０１０８】
［０１１７］
プロセッサ１１２０は、インテリジェントハードウェアデバイス（例えば、汎用プロセッサ、ＤＳＰ、中央処理装置（ＣＰＵ）、マイクロ制御装置、ＡＳＩＣ、ＦＰＧＡ、プログラム可能論理デバイス、ディスクリートゲートまたはトランジスタ論理コンポーネント、ディスクリートハードウェアコンポーネント、あるいは、これらの任意の組み合わせ）を含んでいてもよい。いくつかのケースでは、プロセッサ１１２０は、メモリ制御装置を使用して、メモリアレイを動作させように構成されていてもよい。他のケースでは、メモリ制御装置は、プロセッサ１１２０に統合されていてもよい。プロセッサ１１２０は、さまざまな機能（例えば、副帯域間疑似コロケーションシグナリングをサポートする機能またはタスク）を実行するためにメモリ中に記憶されているコンピュータ読取可能命令を実行するように構成されてもよい。
【０１０９】
［０１１８］
メモリ１１２５は、ランダムアクセスメモリ（ＲＡＭ）とリードオンリーメモリ（ＲＯＭ）を含んでいてもよい。メモリ１１２５は、実行されるとき、プロセッサに、ここで説明したさまざまな機能を実行させる命令を含む、コンピュータ読取可能、コンピュータ実行可能ソフトウェア１１３０を記憶していてもよい。いくつかのケースでは、メモリ１１２５は、とりわけ、周辺コンポーネントまたはデバイスとの対話のような基本ハードウェアまたはソフトウェア動作を制御できる基本入力／出力システム（ＢＩＯＳ）を含んでいてもよい。
【０１１０】
［０１１９］
ソフトウェア１１３０は、副帯域間疑似コロケーションシグナリングをサポートするためのコードを含む、本開示の態様を実現するためのコードを含んでいてもよい。ソフトウェア１１３０は、システムメモリまたは他のメモリのような非一時的コンピュータ読取可能媒体中に記憶されていてもよい。いくつかのケースでは、ソフトウェア１１３０は、プロセッサによって直接的に実行可能でないかもしれないが、（例えば、コンパイルして実行するとき）コンピュータに、ここで説明した機能を実行させてもよい。
【０１１１】
［０１２０］
トランシーバ１１３５は、上記で説明したように、１つ以上のアンテナ、ワイヤードまたはワイヤレスリンクを介して、双方向に通信してもよい。例えば、トランシーバ１１３５は、ワイヤレストランシーバを表していてもよく、別のワイヤレストランシーバと双方向に通信してもよい。トランシーバ１１３５は、パケットを変調し、変調したパケットを送信のためにアンテナに提供し、アンテナから受け取ったパケットを復調するためのモデムも含んでいてもよい。いくつかのケースでは、ワイヤレスデバイスは、単一のアンテナ１１４０を含んでいてもよい。しかしながら、いくつかのケースでは、デバイスは、１本より多くのアンテナ１１４０を有していてもよく、これは、複数のワイヤレス送信を並行して送信および受信することが可能であってもよい。
【０１１２】
［０１２１］
Ｉ／Ｏ制御装置１１４５は、デバイス１１０５のための入力および出力信号を管理してもよい。Ｉ／Ｏ制御装置１１４５は、デバイス１１０５に統合されない周辺機器も管理してもよい。いくつかのケースでは、Ｉ／Ｏ制御装置１１４５は、外部周辺機器への物理的な接続またはポートを表していてもよい。いくつかのケースでは、Ｉ／Ｏ制御装置１１４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または、他の既知のオペレーティングシステムのようなオペレーティングシステムを利用してもよい。他のケースでは、Ｉ／Ｏ制御装置１１４５は、モデム、キーボード、マウス、タッチスクリーン、または、同様のデバイスを表していてもよく、または、これらと対話してもよい。いくつかのケースでは、Ｉ／Ｏ制御装置１１４５を、プロセッサの一部として実現してもよい。いくつかのケースでは、ユーザは、Ｉ／Ｏ制御装置１１４５を介して、または、Ｉ／Ｏ制御装置１１４５により制御されるハードウェアコンポーネントを介して、デバイス１１０５と対話してもよい。
【０１１３】
［０１２２］
図１２は、本開示のさまざまな態様にしたがう、ワイヤレスデバイス１２０５のブロックダイヤグラム１２００を示している。ワイヤレスデバイス１２０５は、ここで説明したような基地局１０５の態様の例であってもよい。ワイヤレスデバイス１２０５は、受信機１２１０、基地局通信マネージャー１２１５、および、送信機１２２０を含んでいてもよい。ワイヤレスデバイス１２０５はまた、プロセッサを含んでいてもよい。これらのコンポーネントのそれぞれは、（例えば、１つ以上のバスを介して）互いに通信してもよい。
【０１１４】
［０１２３］
受信機１２１０は、さまざまな情報チャネル（例えば、制御チャネル、データチャネル、副帯域間疑似コロケーションに関連する情報、等）に関係する、パケット、ユーザデータ、または、制御情報のような情報を受信してもよい。情報は、デバイスの他のコンポーネントに伝えられてもよい。受信機１２１０は、図１５を参照して説明するトランシーバ１５３５の態様の例であってもよい。受信機１２１０は、単一のアンテナまたはアンテナのセットを利用してもよい。
【０１１５】
［０１２４］
基地局通信マネージャー１２１５は、図１５を参照して説明する基地局通信マネージャー１５１５の態様の例であってもよい。基地局通信マネージャー１２１５および／またはそのさまざまなサブコンポーネントのうちの少なくともいくつかは、ハードウェア、プロセッサによって実行されるソフトウェア、ファームウェア、または、これらの任意の組み合わせで実現してもよい。プロセッサによって実行されるソフトウェアで実現する場合、基地局通信マネージャー１２１５および／またはそのさまざまなサブコンポーネントの少なくともいくつかの機能は、汎用プロセッサ、ＤＳＰ、ＡＳＩＣ、ＦＰＧＡまたは他のプログラム可能論理デバイス、ディスクリートゲートまたはトランジスタ論理、ディスクリートハードウェアコンポーネント、あるいは、本開示で説明する機能を実行するように設計されたこれらの任意の組み合わせによって実行してもよい。
【０１１６】
［０１２５］
基地局通信マネージャー１２１５および／またはそのさまざまなサブコンポーネントのうちの少なくともいくつかは、機能の一部分が１つ以上の物理的デバイスによって異なる物理的ロケーションで実現されるように分散されることを含む、さまざまなポジションにおいて物理的に位置付けられていてもよい。いくつかの例では、基地局通信マネージャー１２１５および／またはそのさまざまなサブコンポーネントのうちの少なくともいくつかは、本開示のさまざまな態様にしたがう別のおよび別個のコンポーネントであってもよい。他の例では、基地局通信マネージャー１２１５および／そのさまざまなサブコンポーネントのうちの少なくともいくつかは、１つ以上の他のハードウェアコンポーネントと組み合わされてもよく、１つ以上の他のハードウェアコンポーネントは、Ｉ／Ｏコンポーネント、トランシーバ、ネットワークサーバ、別のコンピューティングデバイス、本開示で説明する他の１つ以上のコンポーネント、または、本開示のさまざまな態様にしたがうこれらの組み合わせを含むが、これらに限定されない。
【０１１７】
［０１２６］
基地局通信マネージャー１２１５は、ＵＥ１１５との通信のための、システム帯域幅の第１の副帯域と第２の副帯域とを構成し、第１の副帯域と第２の副帯域との間の空間的ＱＣＬ関連性を決定し、決定した空間ＱＣＬ関連性を示すシグナリングをＵＥ１１５に送信してもよい。
【０１１８】
［０１２７］
送信機１２２０は、デバイス６００の他のコンポーネントによって発生させた信号を送信してもよい。いくつかの例では、送信機１２２０は、トランシーバモジュール中の受信機１２１０と同じ位置に配置されていてもよい。例えば、送信機１２２０は、図１５を参照して説明するトランシーバ１５３５の態様の例であってもよい。送信機１２２０は、単一のアンテナまたはアンテナのセットを利用してもよい。
【０１１９】
［０１２８］
図１３は、本開示の態様にしたがう、ワイヤレスデバイス１３０５のブロックダイヤグラム１３００を示している。ワイヤレスデバイス１３０５は、図１２を参照して説明したような、ワイヤレスデバイス１２０５または基地局１０５の態様の例であってもよい。ワイヤレスデバイス１３０５は、受信機１３１０、基地局通信マネージャー１３１５、および、送信機１３２０を含んでいてもよい。ワイヤレスデバイス１３０５はまた、プロセッサを含んでいてもよい。これらのコンポーネントのそれぞれは、（例えば、１つ以上のバスを介して）互いに通信してもよい。
【０１２０】
［０１２９］
受信機１３１０は、さまざまな情報チャネル（例えば、制御チャネル、データチャネル、副帯域間疑似コロケーションに関連する情報、等）に関係する、パケット、ユーザデータ、または、制御情報のような情報を受信してもよい。情報は、デバイスの他のコンポーネントに伝えられてもよい。受信機１３１０は、図１５を参照して説明するトランシーバ１５３５の態様の例であってもよい。受信機１３１０は、単一のアンテナまたはアンテナのセットを利用してもよい。
【０１２１】
［０１３０］
基地局通信マネージャー１３１５は、図１５を参照して説明する基地局通信マネージャー１５１５の態様の例であってもよい。基地局通信マネージャー１５３５は、副帯域コンフィギュレーションマネージャー１３２５、基地局ＱＣＬ関連性マネージャー１３３０、および、シグナリングコンポーネント１３３５も含んでいてもよい。
【０１２２】
［０１３１］
副帯域コンフィギュレーションマネージャー１３２５は、ＵＥ１１５との通信のための、システム帯域幅の第１の副帯域と第２の副帯域とを構成してもよい。いくつかのケースでは、第１の副帯域は第１搬送波を含み、第２の副帯域は第２の搬送波を含む。基地局ＱＣＬ関連性マネージャー１３３０は、第１の副帯域と第２の副帯域との間の空間ＱＣＬ関連性を決定してもよい。いくつかのケースでは、第１の副帯域と第２の副帯域との間の空間ＱＣＬ関連性を決定することは、第１の副帯域と第２の副帯域とに渡る相互ＱＣＬ関連性を決定することを含む。相互ＱＣＬ関連性は、第１の副帯域上で送信される１つ以上のダウンリンク信号のＵＥ１１５による受信のためと、第２の副帯域上で送信される１つ以上のアップリンク信号のＵＥ１１５による送信のために使用される空間パラメータに関係していてもよい。いくつかのケースでは、１つ以上のダウンリンク信号は、ＰＤＣＣＨ  ＤＭＲＳ、ＰＤＳＣＨ  ＤＭＲＳ、ＣＳＩ−ＲＳ、同期信号、または、これらの任意の組み合わせを含んでいる。１つ以上のアップリンク信号は、ＰＵＣＣＨ  ＤＭＲＳ、ＰＵＳＣＨ  ＤＭＲＳ、ＳＲＳ、ＲＡＣＨ、または、これらの任意の組み合わせを含んでいてもよい。
【０１２３】
［０１３２］
いくつかの例では、第１の副帯域と第２の副帯域との間の空間ＱＣＬ関連性を決定することは、第１の副帯域と第２の副帯域とに渡るＱＣＬ関連性を決定することを含んでいてもよい。ＱＣＬ関連性は、第１の副帯域上で送信される第１のダウンリンク信号のＵＥ１１５による受信のためと、第２の副帯域上で送信される第２のダウンリンク信号のＵＥ１１５による受信のための空間パラメータと関係していてもよい。このようなケースでは、第１のダウンリンク信号と第２のダウンリンク信号は、ＰＤＣＣＨ  ＤＭＲＳ、ＰＤＳＣＨ  ＤＭＲＳ、ＣＳＩ−ＲＳ、同期信号、または、これらの任意の組み合わせを含む。いくつかのケースでは、空間ＱＣＬ関連性は、点角、ビーム幅、ビーム方向、または、これらの組み合わせを含む空間パラメータに関係する。シグナリングコンポーネント１３３５は、決定した空間ＱＣＬ関連性を示すシグナリングをＵＥ１１５に送信してもよい。いくつかのケースでは、シグナリングを送信することは：ＲＲＣメッセージング、ＭＡＣ  ＣＥ、ＤＣＩ、または、これらの組み合わせを使用して、シグナリングを送信することを含んでいる。
【０１２４】
［０１３３］
送信機１３２０は、デバイスの他のコンポーネントによって発生させた信号を送信してもよい。いくつかの例では、送信機１３２０は、トランシーバモジュール中の受信機１３１０と同じ位置に配置されていてもよい。例えば、送信機１３２０は、図１５を参照して説明するトランシーバ１５３５の態様の例であってもよい。送信機１３２０は、単一のアンテナまたはアンテナのセットを利用してもよい。
【０１２５】
［０１３４］
図１４は、本開示の態様にしたがう、基地局通信マネージャー１４１５のブロックダイヤグラム１４００を示している。基地局通信マネージャー１４１５は、図１２、１３、および、１５を参照して説明した基地局通信マネージャー１５１５の態様の例であってもよい。基地局通信マネージャー１４１５は、副帯域コンフィギュレーションマネージャー１４２０、基地局ＱＣＬ関連性マネージャー１４２５、シグナリングコンポーネント１４３０、ダウンリンク送信コンポーネント１４３５、および、アップリンク制御情報マネージャー１４４０を含んでいてもよい。これらのモジュールのそれぞれは、（例えば、１つ以上のバスを介して）互いに直接的にまたは間接的に通信してもよい。
【０１２６】
［０１３５］
副帯域コンフィギュレーションマネージャー１４２０は、ＵＥ１１５との通信のための、システム帯域幅の第１の副帯域と第２の副帯域とを構成してもよい。いくつかのケースでは、第１の副帯域は第１の搬送波を含み、第２の副帯域は第２の搬送波を含む。基地局ＱＣＬ関連性マネージャー１４２５は、第１の副帯域と第２の副帯域との間の空間ＱＣＬ関連性を決定してもよい。いくつかのケースでは、第１の副帯域と第２の副帯域との間の空間ＱＣＬ関連性を決定することは、第１の副帯域と第２の副帯域とに渡る相互ＱＣＬ関連性を決定することを含む。相互ＱＣＬ関連性は、第１の副帯域上で送信される１つ以上のダウンリンク信号のＵＥ１１５による受信のためと、第２の副帯域上で送信される１つ以上のアップリンク信号のＵＥ１１５による送信のために使用される空間パラメータに関係していてもよい。いくつかのケースでは、１つ以上のダウンリンク信号は、ＰＤＣＣＨ  ＤＭＲＳ、ＰＤＳＣＨ  ＤＭＲＳ、ＣＳＩ−ＲＳ、同期信号、または、これらの任意の組み合わせを含んでいる。１つ以上のアップリンク信号は、ＰＵＣＣＨ  ＤＭＲＳ、ＰＵＳＣＨ  ＤＭＲＳ、ＳＲＳ、ＲＡＣＨ、または、これらの任意の組み合わせを含んでいてもよい。
【０１２７】
［０１３６］
いくつかの例では、第１の副帯域と第２の副帯域との間の空間ＱＣＬ関連性を決定することは、第１の副帯域と第２の副帯域とに渡るＱＣＬ関連性を決定することを含んでいてもよい。ＱＣＬ関連性は、第１の副帯域上で送信される第１のダウンリンク信号のＵＥ１１５による受信のためと、第２の副帯域上で送信される第２のダウンリンク信号のＵＥ１１５による受信のための空間パラメータに関係していてもよい。このようなケースでは、第１のダウンリンク信号と第２のダウンリンク信号は、ＰＤＣＣＨ  ＤＭＲＳ、ＰＤＳＣＨ  ＤＭＲＳ、ＣＳＩ−ＲＳ、同期信号、または、これらの任意の組み合わせを含んでいる。いくつかのケースでは、空間ＱＣＬ関連性は、点角、ビーム幅、ビーム方向、または、これらの組み合わせを含む空間パラメータに関係する。
【０１２８】
［０１３７］
シグナリングコンポーネント１４３０は、決定した空間ＱＣＬ関連性を示すシグナリングをＵＥ１１５に送信してもよい。いくつかのケースでは、シグナリングを送信することは：ＲＲＣメッセージング、媒体アクセス制御（ＭＡＣ）ＣＥ、ＤＣＩ、または、これらの組み合わせを使用して、シグナリングを送信することを含む。
【０１２９】
［０１３８］
ダウンリンク送信コンポーネント１４３５は、第１の副帯域上でＵＥ１１５にダウンリンク送信を送信してもよく、空間ＱＣＬ関連性は、第１の副帯域上のダウンリンク送信の受信のために使用される空間パラメータに基づいて、ＵＥ１１５が、第２の副帯域上のアップリンク制御情報の送信のための空間パラメータを導出することを可能にする。いくつかの例では、ダウンリンク送信コンポーネント１４３５は、第１の副帯域上で第１のダウンリンク送信をＵＥ１１５に送信してもよく、空間ＱＣＬ関連性は、第１の副帯域上の第１のダウンリンク送信の受信のために使用される空間パラメータに基づいて、ＵＥ１１５が、第２の副帯域上の第２のダウンリンク送信の受信のための空間パラメータを導出することを可能にする。いくつかのケースでは、ダウンリンク送信コンポーネント１４３５は、第２の副帯域上で第２のダウンリンク送信を送信してもよい。いくつかのケースでは、第１のダウンリンク送信はチャネルＣＳＩ−ＲＳを含み、第２のダウンリンク送信は、ＰＤＳＣＨ  ＤＭＲＳを含む。アップリンク制御情報マネージャー１４４０は、第２の副帯域上でアップリンク制御情報を受信してもよい。
【０１３０】
［０１３９］
図１５は、本開示の態様にしたがう、デバイス１５０５を含むシステム１５００のダイヤグラムを示している。デバイス１５０５は、例えば、図１を参照して上記で説明したような、基地局１０５のコンポーネントの例であってもよく、または、これを含んでいてもよい。デバイス１５０５は、基地局通信マネージャー１５１５、プロセッサ１５２０、メモリ１５２５、ソフトウェア１５３０、トランシーバ１５３５、アンテナ１５４０、ネットワーク通信マネージャー１５４５、および、局間通信マネージャー１５５０を含む、通信を送信および受信するためのコンポーネントを含む双方向音声およびデータ通信のためのコンポーネントを含んでいてもよい。これらのコンポーネントは、１つ以上のバス（例えば、バス１５１０）を介して電子通信してもよい。デバイス１５０５は、１つ以上のＵＥ１１５とワイヤレスに通信してもよい。
【０１３１】
［０１４０］
プロセッサ１５２０は、インテリジェントハードウェアデバイス（例えば、汎用プロセッサ、ＤＳＰ、ＣＰＵ、マイクロ制御装置、ＡＳＩＣ、ＦＰＧＡ、プログラム可能論理デバイス、ディスクリートゲートまたはトランジスタ論理コンポーネント、ディスクリートハードウェアコンポーネント、あるいは、これらの任意の組み合わせ）を含んでいてもよい。いくつかのケースでは、プロセッサ１５２０は、メモリ制御装置を使用してメモリアレイを動作させるように構成されていてもよい。他のケースでは、メモリ制御装置は、プロセッサ１５２０に統合されていてもよい。プロセッサ１５２０は、さまざまな機能（例えば、副帯域間疑似コロケーションシグナリングをサポートする機能またはタスク）を実行するためにメモリ中に記憶されているコンピュータ読取可能命令を実行するように構成されていてもよい。
【０１３２】
［０１４１］
メモリ１５２５は、ＲＡＭおよびＲＯＭを含んでいてもよい。メモリ１５２５は、実行されたとき、プロセッサに、ここで説明したさまざまな機能を実行させる命令を含む、コンピュータ読取可能、コンピュータ実行可能ソフトウェアコード１５３０を記憶していてもよい。いくつかのケースでは、メモリ１５２５は、とりわけ、周辺コンポーネントまたはデバイスとの対話のような基本ハードウェアまたはソフトウェア動作を制御できるＢＩＯＳを含んでいてもよい。
【０１３３】
［０１４２］
ソフトウェア１５３０は、副帯域間疑似コロケーションシグナリングをサポートするためのコードを含む、本開示の態様を実現するためのコードを含んでいてもよい。ソフトウェア１５３０は、システムメモリまたは他のメモリのような非一時的コンピュータ読取可能媒体中に記憶されていてもよい。いくつかのケースでは、ソフトウェア１５３０は、プロセッサによって直接実行可能でないかもしれないが、（例えば、コンパイルして実行するとき）コンピュータに、ここで説明した機能を実行させてもよい。
【０１３４】
［０１４３］
トランシーバ１５３５は、上記で説明したような１つ以上のアンテナ、ワイヤードまたはワイヤレスリンクを介して双方向に通信してもよい。例えば、トランシーバ１５３５は、ワイヤレストランシーバを表していてもよく、別のワイヤレストランシーバと双方向に通信してもよい。トランシーバ１５３５は、パケットを変調して、変調したパケットを送信のためにアンテナに提供し、アンテナから受け取ったパケットを復調するためのモデムも含んでいてもよい。
【０１３５】
［０１４４］
いくつかのケースでは、ワイヤレスデバイスは、単一のアンテナ１５４０を含んでいてもよい。しかしながら、いくつかのケースでは、デバイスは、１本より多くのアンテナ１５４０を有していてもよく、これは、複数のワイヤレス送信を並行して送信および受信することが可能であってもよい。ネットワーク通信マネージャー１５４５は、（例えば、１つ以上のワイヤードバックホールリンクを介して）コアネットワークとの通信を管理してもよい。例えば、ネットワーク通信マネージャー１５４５は、１つ以上のＵＥ１１５のようなクライアントデバイスのためのデータ通信の転送を管理してもよい。
【０１３６】
［０１４５］
局間通信マネージャー１５５０は、他の基地局１０５との通信を管理してもよく、他の基地局１０５と協同してＵＥ１１５との通信を制御するための制御装置またはスケジューラを含んでいてもよい。例えば、局間通信マネージャー１５５０は、ビーム形成またはジョイント送信のようなさまざまな干渉緩和技術のために、ＵＥ１１５への送信に対するスケジューリングを調整してもよい。いくつかの例では、局間通信マネージャー１５５０は、基地局１０５間の通信を提供するために、ロングタームエボリューション（ＬＴＥ）／ＬＴＥ−Ａワイヤレス通信ネットワークテクノロジー内にＸ２インターフェースを提供してもよい。
【０１３７】
［０１４６］
図１６は、本開示の態様にしたがう、方法１６００を図示するフローチャートを示す。方法１６００の動作は、ここで説明したような、ＵＥ１１５またはそのコンポーネントによって実現してもよい。例えば、方法１６００の動作は、図８から１１を参照して説明したような、ＵＥ通信マネージャーによって実行してもよい。いくつかの例では、ＵＥ１１５は、デバイスの機能的要素を制御するためのコードのセットを実行して、以下で説明する機能を実行してもよい。追加的にまたは代替的に、ＵＥ１１５は、特殊目的ハードウェアを使用して、以下で説明する機能の態様を実行してもよい。
【０１３８】
［０１４７］
１６０５において、ＵＥ１１５は、システム帯域幅の第１の副帯域と第２の副帯域との間の空間ＱＣＬ関連性を示すシグナリングを基地局１０５から受信してもよい。１６０５の動作は、ここで説明した方法にしたがって実行してもよい。ある例では、１６０５の動作の態様は、図８から１１を参照して説明したような、ＵＥ  ＱＣＬ関連性マネージャーによって実行してもよい。
【０１３９】
［０１４８］
１６１０において、ＵＥ１１５は、第１の副帯域を介しての基地局１０５からのダウンリンク送信の受信のために使用される空間パラメータに基づいている、第２の副帯域を介しての基地局１０５との通信のための空間パラメータを、空間ＱＣＬ関連性に基づいて導出してもよい。１６１０の動作は、ここで説明した方法にしたがって実行してもよい。ある例では、１６１０の動作の態様は、図８から１１を参照して説明したような、空間パラメータマネージャーによって実行してもよい。
【０１４０】
［０１４９］
１６１５において、ＵＥ１１５は、導出した空間パラメータを使用して、第２の副帯域を介して基地局１０５と通信してもよい。１６１５の動作は、ここで説明した方法にしたがって実行してもよい。ある例では、１６１５の動作の態様は、図８から１１を参照して説明したような、副帯域通信コンポーネントによって実行してもよい。
【０１４１】
［０１５０］
図１７は、本開示の態様にしたがう、方法１７００を図示するフローチャートを示す。方法１７００の動作は、ここで説明したような、ＵＥ１１５またはそのコンポーネントによって実現してもよい。例えば、方法１７００の動作は、図８から１１を参照して説明したような、ＵＥ通信マネージャーによって実行してもよい。いくつかの例では、ＵＥ１１５は、デバイスの機能的要素を制御するためのコードのセットを実行して、以下で説明する機能を実行してもよい。追加的にまたは代替的に、ＵＥ１１５は、特殊目的ハードウェアを使用して、以下で説明する機能の態様を実行してもよい。
【０１４２】
［０１５１］
１７０５において、ＵＥ１１５は、システム帯域幅の第１の副帯域と第２の副帯域との間の空間ＱＣＬ関連性を示すシグナリングを基地局１０５から受信してもよい。１７０５の動作は、ここで説明した方法にしたがって実行してもよい。ある例では、１７０５の動作の態様は、図８から１１を参照して説明したような、ＵＥ  ＱＣＬ関連性マネージャーによって実行してもよい。
【０１４３】
［０１５２］
１７１０において、ＵＥ１１５は、第１の副帯域を介しての基地局１０５からのダウンリンク送信の受信のために使用される空間パラメータに基づいている、第２の副帯域を介しての基地局１０５との通信のための空間パラメータを、空間ＱＣＬ関連性に基づいて導出してもよい。１７１０の動作は、ここで説明した方法にしたがって実行してもよい。ある例では、１７１０の動作の態様は、図８から１１を参照して説明したような、空間パラメータマネージャーによって実行してもよい。
【０１４４】
［０１５３］
１７１５において、ＵＥ１１５は、空間ＱＣＬ関連性に基づいて、第２の副帯域を介しての基地局１０５との通信のための送信ビームを識別してもよい。１７１５の動作は、ここで説明した方法にしたがって実行してもよい。ある例では、１７１５の動作の態様は、図８から１１を参照して説明したような、ビームマネージャーによって実行してもよい。
【０１４５】
［０１５４］
１７２０において、ＵＥ１１５は、ダウンリンク送信の受信のために使用される空間パラメータに関係するアナログビーム形成重み付けのセットを識別してもよい。１７２０の動作は、ここで説明した方法にしたがって実行してもよい。ある例では、１７２０の動作の態様は、図８から１１を参照して説明したような、ビーム形成重み付けマネージャーによって実行してもよい。
【０１４６】
［０１５５］
１７２５において、ＵＥ１１５は、空間ＱＣＬ関連性に基づいて、送信ビームとの使用のために、アナログビーム形成重み付けのセットを調節してもよい。１７２５の動作は、ここで説明した方法にしたがって実行してもよい。ある例では、１７２５の動作の態様は、図８から１１を参照して説明したような、ビーム形成重み付けマネージャーによって実行してもよい。
【０１４７】
［０１５６］
１７３０において、ＵＥ１１５は、導出した空間パラメータを使用して、第２の副帯域を介して基地局１０５と通信してもよく、通信は、送信ビームを使用して、第２の副帯域上でアップリンク制御情報を送信することを含んでいる。１７３０の動作は、ここで説明した方法にしたがって実行してもよい。ある例では、１７３０の動作の態様は、図８から図１１を参照して説明したような、副帯域通信コンポーネントによって実行してもよい。
【０１４８】
［０１５７］
図１８は、本開示の態様にしたがう、方法１８００を図示するフローチャートを示す。方法１８００の動作は、ここで説明したような、ＵＥ１１５またはそのコンポーネントによって実現してもよい。例えば、方法１８００の動作は、図８から１１を参照して説明したような、ＵＥ通信マネージャーによって実行してもよい。いくつかの例では、ＵＥ１１５は、デバイスの機能的要素を制御するためのコードのセットを実行して、以下で説明する機能を実行してもよい。追加的にまたは代替的に、ＵＥ１１５は、特殊目的ハードウェアを使用して、以下で説明する機能の態様を実行してもよい。
【０１４９】
［０１５８］
１８０５において、ＵＥ１１５は、システム帯域幅の第１の副帯域と第２の副帯域との間の空間ＱＣＬ関連性を示すシグナリングを基地局１０５から受信してもよい。１８０５の動作は、ここで説明した方法にしたがって実行してもよい。ある例では、１８０５の動作の態様は、図８から１１を参照して説明したような、ＵＥ  ＱＣＬ関連性マネージャーによって実行してもよい。
【０１５０】
［０１５９］
１８１０において、ＵＥ１１５は、第１の副帯域を介しての基地局１０５からのダウンリンク送信の受信のために使用される空間パラメータに基づいている、第２の副帯域を介しての基地局１０５との通信のための空間パラメータを、空間ＱＣＬ関連性に基づいて導出してもよい。１８１０の動作は、ここで説明した方法にしたがって実行してもよい。ある例では、１８１０の動作の態様は、図８から１１を参照して説明したような、空間パラメータマネージャーによって実行してもよい。
【０１５１】
［０１６０］
１８１５において、ＵＥ１１５は、空間ＱＣＬ関連性に基づいて、第２の副帯域を介しての基地局１０５の通信のための受信ビームを識別してもよい。１８１５の動作は、ここで説明した方法にしたがって実行してもよい。ある例では、１８１５の動作の態様は、図８から１１を参照して説明したような、ビームマネージャーによって実行してもよい。
【０１５２】
［０１６１］
１８２０において、ＵＥ１１５は、ダウンリンク送信の受信のために使用される空間パラメータに関係するアナログビーム形成重み付けのセットを識別してもよく、ダウンリンク送信は、第１のダウンリンク送信である。１８２０の動作は、ここで説明した方法にしたがって実行してもよい。ある例では、１８２０の動作の態様は、図８から１１を参照して説明したような、ビーム形成重み付けマネージャーによって実行してもよい。
【０１５３】
［０１６２］
１８２５において、ＵＥ１１５は、空間ＱＣＬ関連性に基づいて、受信ビームとの使用のために、アナログビーム形成重み付けのセットを調節してもよい。１８２５の動作は、ここで説明した方法にしたがって実行してもよい。ある例では、１８２５の動作の態様は、図８から１１を参照して説明したような、ビーム形成重み付けマネージャーによって実行してもよい。
【０１５４】
［０１６３］
１８３０において、ＵＥ１１５は、導出した空間パラメータを使用して、第２の副帯域を介して基地局と通信してもよく、通信は、受信ビームを使用して、第２の副帯域上で第２のダウンリンク送信を受信することを含んでいる。１８３０の動作は、ここで説明した方法にしたがって実行してもよい。ある例では、１８３０の動作の態様は、図８から１１を参照して説明したような、副帯域通信コンポーネントによって実行してもよい。
【０１５５】
［０１６４］
図１９は、本開示の態様にしたがう、方法１９００を図示するフローチャートを示す。方法１９００の動作は、ここで説明したような、ＵＥ１１５またはそのコンポーネントによって実現してもよい。例えば、方法１９００の動作は、図８から１１を参照して説明したような、ＵＥ通信マネージャーによって実行してもよい。いくつかの例では、ＵＥ１１５は、デバイスの機能的要素を制御するためのコードのセットを実行して、以下で説明する機能を実行してもよい。追加的にまたは代替的に、ＵＥ１１５は、特殊目的ハードウェアを使用して、以下で説明する機能の態様を実行してもよい。
【０１５６】
［０１６５］
１９０５において、ＵＥ１１５は、システム帯域幅の第１の副帯域と第２の副帯域との間の空間ＱＣＬ関連性を示すシグナリングを基地局１０５から受信してもよい。１９０５の動作は、ここで説明した方法にしたがって実行してもよい。ある例では、１９０５の動作の態様は、図８から１１を参照して説明したような、ＵＥ  ＱＣＬ関連性マネージャーによって実行してもよい。
【０１５７】
［０１６６］
１９１０において、ＵＥ１１５は、第１の副帯域を介しての基地局１０５からのダウンリンク送信の受信のために使用される空間パラメータに基づいている、第２の副帯域を介しての基地局１０５との通信のための空間パラメータを、空間ＱＣＬ関連性に基づいて導出してもよい。１９１０の動作は、ここで説明した方法にしたがって実行してもよい。ある例では、１９１０の動作の態様は、図８から１１を参照して説明したような、空間パラメータマネージャーによって実行してもよい。
【０１５８】
［０１６７］
１９１５において、ＵＥ１１５は、第１の副帯域と第２の副帯域とに渡る相互ＱＣＬ関連性として、空間ＱＣＬ関連性を適用してもよく、相互ＱＣＬ関連性は、第１の副帯域上のダウンリンク送信を介して受信される１つ以上のダウンリンク信号の受信のためと、第２の副帯域上で送信される１つ以上のアップリンク信号の送信のために使用される空間パラメータに関係する。追加的にまたは代替的に、ＵＥ１１５は、第１の副帯域と第２の副帯域とに渡るＱＣＬ関連性として、空間ＱＣＬ関連性を適用してもよく、ＱＣＬ関連性は、第１の副帯域上のダウンリンク送信を介して受信される第１のダウンリンク信号の受信のためと、第２の副帯域上で受信される第２のダウンリンク信号の受信のために使用される空間パラメータに関係する。１９１５の動作は、ここで説明した方法にしたがって実行してもよい。ある例では、１９１５の動作の態様は、図８から１１を参照して説明したような、ＵＥ  ＱＣＬ関連性マネージャーによって実行してもよい。
【０１５９】
［０１６８］
１９２０において、ＵＥ１１５は、導出した空間パラメータを使用して、第２の副帯域を介して基地局１０５と通信してもよい。１９２０の動作は、ここで説明した方法にしたがって実行してもよい。ある例では、１９２０の動作の態様は、図８から１１を参照して説明したような、副帯域通信コンポーネントによって実行してもよい。
【０１６０】
［０１６９］
図２０は、本開示の態様にしたがう、方法２０００を図示するフローチャートを示す。方法２０００の動作は、ここで説明したような、基地局１０５またはそのコンポーネントによって実現してもよい。例えば、方法２０００の動作は、図１２から１５を参照して説明したような、基地局通信マネージャーによって実行してもよい。いくつかの例では、基地局１０５は、デバイスの機能的要素を制御するためのコードのセットを実行して、以下で説明する機能を実行してもよい。追加的にまたは代替的に、基地局１０５は、特殊目的ハードウェアを使用して、以下で説明する機能の態様を実行してもよい。
【０１６１】
［０１７０］
２００５において、基地局１０５は、ＵＥとの通信のために、システム帯域幅の第１の副帯域と第２の副帯域とを構成してもよい。２００５の動作は、ここで説明した方法にしたがって実行してもよい。ある例では、２００５の動作の態様は、図１２から１５を参照して説明したような、副帯域コンフィギュレーションマネージャーによって実行してもよい。
【０１６２】
［０１７１］
２０１０において、基地局１０５は、第１の副帯域と第２の副帯域との間の空間ＱＣＬ関連性を決定してもよい。２０１０の動作は、ここで説明した方法にしたがって実行してもよい。ある例では、２０１０の動作の態様は、図１２から１５を参照して説明したような、基地局ＱＣＬ関連性マネージャーによって実行してもよい。
【０１６３】
［０１７２］
２０１５において、基地局１０５は、決定した空間ＱＣＬ関連性を示すシグナリングをＵＥ１１５に送信してもよい。２０１５の動作は、ここで説明した方法にしたがって実行してもよい。ある例では、２０１５の動作の態様は、図１２から１５を参照して説明したような、シグナリングコンポーネントによって実行してもよい。
【０１６４】
［０１７３］
上記で説明した方法は、可能性あるインプリメンテーションを説明しており、動作とステップは、再構成してもよく、そうでなければ、修正してもよく、他のインプリメンテーションが可能であることに留意すべきである。さらに、方法のうちの２つ以上からの態様を組み合わせてもよい。
【０１６５】
［０１７４］
ここで説明した技術は、コード分割多元接続（ＣＤＭＡ）、時分割多元接続（ＴＤＭＡ）、周波数分割多元接続（ＦＤＭＡ）、直交周波数分割多元接続（ＯＦＤＭＡ）、単一搬送波周波数分割多元接続（ＳＣ−ＦＤＭＡ）、および、他のシステムのような、さまざまなワイヤレス通信システムに対して使用してもよい。用語「システム」および「ネットワーク」は、交換可能に使用することが多い。コード分割多元接続（ＣＤＭＡ）システムは、ＣＤＭＡ２０００、ユニバーサル地上無線アクセス（ＵＴＲＡ）等のような無線テクノロジーを実現してもよい。ＣＤＭＡ２０００は、ＩＳ−２０００、ＩＳ−９５、および、ＩＳ−８５６標準規格をカバーする。ＩＳ−２０００リリースは、ＣＤＭＡ２０００  １Ｘ、１Ｘ、等として一般的に呼ばれることがある。ＩＳ−８５６（ＴＩＡ−８５６）は、ＣＤＭＡ２０００  １ｘＥＶ−ＤＯ、高レートパケットデータ（ＨＲＰＤ）等として一般的に呼ばれる。ＵＴＲＡは、ワイドバンドＣＤＭＡ（ＷＣＤＭＡ（登録商標））およびＣＤＭＡの他の変形を含む。ＴＤＭＡシステムは、移動体通信のためのグローバルシステム（ＧＳＭ（登録商標））のような無線テクノロジーを実現することができる。
【０１６６】
［０１７５］
ＯＦＤＭＡシステムは、ウルトラモバイルブロードバンド（ＵＭＢ）、進化型ＵＴＲＡ（Ｅ−ＵＴＲＡ）、電気電子技術者協会（ＩＥＥＥ）８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭＡ、等のような無線テクノロジーを実現することができる。ＵＴＲＡおよびＥ−ＵＴＲＡは、ユニバーサル移動体電気通信システム（ＵＭＴＳ）の一部である。ＬＴＥおよびＬＴＥ−Ａは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＮＲ、および、ＧＳＭは、「第３世代パートナーシッププロジェクト」（３ＧＰＰ（登録商標））という名の組織からの文書中で説明されている。ＣＤＭＡ２０００およびＵＭＢは、「第３世代パートナーシッププロジェクト２」（３ＧＰＰ２）という名の組織からの文書中で説明されている。ここで説明した技術は、上述したシステムおよび無線テクノロジーと共に、他のシステムおよび無線テクノロジーに対して使用してもよい。ＬＴＥまたはＮＲシステムの態様を例示の目的で説明したが、ＬＴＥまたはＮＲ専門用語は、説明の大半で使用されているかもしれず、ここで説明した技術は、ＬＴＥまたはＮＲアプリケーションを超えて適用可能である。
【０１６７】
［０１７６］
ここで説明したこのようなネットワークを含むＬＴＥ／ＬＴＥ−Ａネットワークでは、用語進化型ノードＢ（ｅＮＢ）は、一般的に基地局を説明するために使用しているかもしれない。ここで説明したワイヤレス通信システムは、異なるタイプのｅＮＢがさまざまな地理的領域に関するカバレッジを提供する、ヘテロジニアスなＬＴＥ／ＬＴＥ−ＡまたはＮＲネットワークを含んでいてもよい。例えば、各ｅＮＢ、次世代ノードＢ（ｇＮＢ）、または、基地局は、マクロセル、スモールセル、または、他のタイプのセルのための通信カバレッジを提供してもよい。用語「セル」は、文脈に依存して、基地局、基地局に関係する搬送波またはコンポーネント搬送波、あるいは、搬送波または基地局のカバレッジエリア（例えば、セクタ等）を説明するために使用しているかもしれない。
【０１６８】
［０１７７］
基地局は、基地トランシーバ局、無線基地局、アクセスポイント、無線トランシーバ、ノードＢ、ｅノードＢ（ｅＮＢ）、ｇＮＢ、ホームノードＢ、ホームｅノードＢ、または、他の何らかの適切な専門用語を含んでいてもよい、または、このようなものとして当業者によって呼ばれているかもしれない。基地局についての地理的カバレッジエリアは、カバレッジエリアの一部のみを構成するセクタに分割してもよい。ここで説明したワイヤレス通信システムは、異なるタイプの基地局（例えば、マクロまたはスモールセル基地局）を含んでいてもよい。ここで説明したＵＥは、マクロｅＮＢ、スモールセルｅＮＢ、ｇＮＢ、中継基地局、および、これらに類するものを含む、さまざまなタイプの基地局およびネットワーク機器と通信することができてもよい。異なるテクノロジーに対してオーバーラップしている地理的カバレッジエリアがあってもよい。
【０１６９】
［０１７８］
マクロセルは一般的に、比較的大きい地理的エリア（例えば、半径数キロメータ）をカバーしていてもよく、ネットワークプロバイダにサービス加入しているＵＥによる無制限のアクセスを可能にしてもよい。スモールセルは、マクロセルと比較して、低電力基地局であり、マクロセルと同じまたは異なる（例えば、ライセンスされている、ライセンスされていない、等）周波数帯域で動作してもよい。スモールセルは、さまざまな例にしたがって、ピコセル、フェムトセル、および、マイクロセルを含んでいてもよい。ピコセルは、例えば、小さい地理的エリアをカバーしてもよく、ネットワークプロバイダにサービス加入しているＵＥによる無制限のアクセスを可能にしてもよい。フェムトセルはまた、小さい地理的エリア（例えば、家）をカバーしてもよく、フェムトセルとの関係を有するＵＥ（例えば、閉じられた加入者グループ（ＣＳＧ）中におけるＵＥ、家にいるユーザのためのＵＥ、および、これらに類するもの）による制限されたアクセスを提供してもよい。マクロセルのためのｅＮＢは、マクロｅＮＢとして呼ばれることがある。スモールセルのためのｅＮＢは、スモールセルｅＮＢ、ピコｅＮＢ、フェムトｅＮＢ、または、ホームｅＮＢとして呼ばれることがある。ｅＮＢは、１つ以上（例えば、２つ、３つ、４つおよびこれらに類するもの）のセル（例えば、コンポーネント搬送波）をサポートしてもよい。
【０１７０】
［０１７９］
ここで説明したワイヤレス通信システムは、同期または非同期動作をサポートしていてもよい。同期動作について、基地局は、同様のフレームタイミングを有してもよく、異なる基地局からの送信は、時間的にほぼアラインされていてもよい。非同期動作について、基地局は、異なるフレームタイミングを有していてもよく、異なる基地局からの送信は、時間的にアラインされていなくてもよい。ここで説明する技術は、同期または非同期の動作のいずれかのために使用してもよい。
【０１７１】
［０１８０］
ここで説明したダウンリンク送信はまた、フォワードリンク送信と呼ばれることがあり、一方でアップリンク送信はまた、リバースリンク送信と呼ばれることがある。−例えば、図１および２のワイヤレス通信システム１００および２００を含む−ここで説明した各通信リンクは、１つ以上の搬送波を含んでいてもよく、各搬送波は、複数の副搬送波から構成される信号（例えば、異なる周波数の波形信号）であってもよい。
【０１７２】
［０１８１］
添付の図面に関連してここで述べた説明は、例示的なコンフィギュレーションを説明しており、実現することができるまたは特許請求の請求項の範囲内にあるすべての例を表すものではない。ここで使用する用語「例示的」は、「例、実例、または例示として機能すること」を意味し、「好ましい」または「他の例よりも有利である」ということを意味しない。詳細な説明は、説明した技術の理解を提供する目的で、特定の詳細を含む。しかしながら、これらの技術は、これらの特定の詳細なしに実施できる。いくつかの事例では、周知の構造およびデバイスは、説明した例の概念を曖昧にするのを避けるために、ブロックダイヤグラム形式で示されている。
【０１７３】
［０１８２］
添付の図面では、類似したコンポーネントまたは特徴は、同じ参照ラベルを有しているかもしれない。さらに、同じタイプのさまざまなコンポーネントは、参照ラベルに、ダッシュおよび類似のコンポーネント間で区別する第２のラベルを後続させることによって、区別することができる。本明細書で第１の参照ラベルのみが使用されている場合には、本説明は、第２の参照ラベルにかかわらず、同じ第１の参照ラベルを有する類似のコンポーネントのうちのいずれか１つに適用可能である。
【０１７４】
［０１８３］
ここで説明した情報および信号は、さまざまな異なるテクノロジーおよび技術のうちのいずれかを使用して表されているかもしれない。例えば、上記の説明全体に渡って参照されるかもしれない、データ、命令、コマンド、情報、信号、ビット、シンボル、および、チップは、電圧、電流、電磁波、磁界または磁粒、光界または光粒、あるいは、これらの任意の組み合わせにより表されるかもしれない。
【０１７５】
［０１８４］
ここでの開示に関連して説明した、さまざまな例示的なブロックおよびモジュールは、ここで説明した機能を実行するように設計された、汎用プロセッサ、ＤＳＰ、ＡＳＩＣ、ＦＰＧＡまたは他のプログラム可能論理デバイス、ディスクリートゲートまたはトランジスタ論理、ディスクリートハードウェアコンポーネント、あるいは、これらの任意の組み合わせを用いて、実現または実行してもよい。汎用プロセッサはマイクロプロセッサであってもよいが、代替実施形態では、プロセッサは、任意の従来のプロセッサ、制御装置、マイクロ制御装置、または状態機械であってもよい。プロセッサはまた、コンピューティングデバイスの組み合わせ（例えば、ＤＳＰとマイクロプロセッサの組み合わせ、複数のマイクロプロセッサ、ＤＳＰのコアと関連する１つ以上のマイクロプロセッサ、または、他の何らかのこのようなコンフィギュレーション）として実現してもよい。
【０１７６】
［０１８５］
ここで説明した機能は、ハードウェア、プロセッサによって実行されるソフトウェア、ファームウェア、または、これらの任意の組み合わせで実現してもよい。プロセッサによって実行されるソフトウェアで実現する場合、機能は、１つ以上の命令またはコードとしてコンピュータ読取可能媒体上に記憶され、あるいは、それを通して送信されてもよい。他の例およびインプリメンテーションは、本開示および添付の特許請求の範囲内にある。例えば、ソフトウェアの性質により、上記に説明した機能は、プロセッサによって実行されるソフトウェア、ハードウェア、ファームウェア、ハードワイヤリング、または、これらの任意の組み合わせを使用して実現することができる。機能を実現する特徴はまた、機能の一部分が異なる物理的ロケーションにおいて実現されるように分散されることを含む、さまざまなポジションにおいて物理的に位置付けられていてもよい。また、特許請求の範囲を含め、ここで使用するように、項目のリスト（例えば、「のうちの少なくとも１つ」または「のうちの１つ以上」のようなフレーズにより始まる項目のリスト）中で使用する「または」は、例えば、「Ａ、Ｂ、またはＣ、のうちの少なくとも１つ」のリストが、ＡまたはＢまたはＣあるいはＡＢまたはＡＣまたはＢＣあるいはＡＢＣ（すなわち、ＡとＢとＣ）を意味するように、包括的なリストを示している。ここで使用するように、フレーズ「に基づいて」は、条件の閉じたセットへの参照として解釈すべきではない。例えば、「条件Ａに基づく」のように説明される例示的なステップは、本開示の範囲から逸脱することなく、条件Ａおよび条件Ｂの両方に基づいていてもよい。言い換えると、ここで使用するように、フレーズ「基づいて」は、フレーズ「に少なくとも部分的に基づいて」と同じ方法で解釈すべきである。
【０１７７】
［０１８６］
コンピュータ読取可能媒体は、１つの場所から別の場所へのコンピュータプログラムの転送を促進する任意の媒体を含む、非一時的コンピュータ記憶媒体および通信媒体の両方を含む。非一時的記憶媒体は、汎用または特殊目的コンピュータによってアクセスすることができる任意の利用可能な媒体であってもよい。限定ではなく例として、非一時的コンピュータ読取可能媒体は、ＲＡＭ、ＲＯＭ、電気的消去可能プログラム可能リードオンリーメモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいは、命令またはデータ構造の形態で所望のプログラムコード手段を搬送または記憶するために使用することができ、汎用または特殊目的コンピュータ、あるいは、汎用または特殊目的プロセッサによってアクセスすることができる他の何らかの非一時的媒体を備えることができる。また、任意の接続は、コンピュータ読取可能媒体と適切に呼ばれる。例えば、ソフトウェアが、同軸ケーブル、光ファイバーケーブル、ツイストペア、デジタル加入者線（ＤＳＬ）、あるいは
、赤外線、無線、およびマイクロ波のようなワイヤレステクノロジーを使用して、ウェブサイト、サーバ、または、他の遠隔ソースから送信される場合、同軸ケーブル、光ファイバーケーブル、ツイストペア、ＤＳＬ、あるいは、赤外線、無線、およびマイクロ波のようなワイヤレステクノロジーは、媒体の定義に含まれる。ここで使用したようなディスク（ｄｉｓｋおよびｄｉｓｃ）は、ＣＤ、レーザーディスク（登録商標）、光ディスク、デジタル汎用ディスク（ＤＶＤ）、フロッピー（登録商標）ディスクおよびブルーレイ（登録商標）ディスクを含むが、通常、ディスク（ｄｉｓｋ）は通常データを磁気的に再生する一方で、ディスク（ｄｉｓｃ）はデータをレーザにより光学的に再生する。上記の組み合わせもまた、コンピュータ読取可能媒体の範囲内に含まれる。
【０１７８】
［０１８７］
ここでの説明は、当業者が本開示を製造または使用することを可能にするように提供されている。本開示に対するさまざまな修正は、当業者にとって容易に明らかとなり、ここで定義される一般的な原理は、本開示の範囲から逸脱することなく他のバリエーションに適用してもよい。したがって、本開示は、ここで説明した例および設計に限定されず、ここで開示された原理および新規な特徴と一致する最も広い範囲が与えられる。
以下に、本願出願の当初の特許請求の範囲に記載された発明を付記する。
［１］  ユーザ機器（ＵＥ）におけるワイヤレス通信のための方法において、
システム帯域幅の第１の副帯域と第２の副帯域との間の空間疑似コロケーション（ＱＣＬ）関連性を示すシグナリングを基地局から受信することと、
前記第１の副帯域を介しての前記基地局からのダウンリンク送信の受信のために使用される空間パラメータに少なくとも部分的に基づいている、前記第２の副帯域を介しての前記基地局との通信のための空間パラメータを、前記空間ＱＣＬ関連性に少なくとも部分的に基づいて導出することと、
前記導出した空間パラメータを使用して、前記第２の副帯域を介して前記基地局と通信することとを含む方法。
［２］  前記空間ＱＣＬ関連性に基づいて、前記第２の副帯域を介しての前記基地局との通信のための送信ビームを識別することをさらに含み、
前記通信することは、前記送信ビームを使用して、前記第２の副帯域上でアップリンク制御情報を送信することを含む［１］記載の方法。
［３］  前記空間パラメータを導出することは、前記送信ビームに対する空間パラメータを導出することを含み、前記導出した空間パラメータは、前記ダウンリンク送信の受信のために使用される前記空間パラメータによって規定される機能と相互関係にある機能に対するものである［２］記載の方法。
［４］  前記ダウンリンク送信の受信のために使用される前記空間パラメータに関係するアナログビーム形成重み付けのセットを識別することと、
前記空間ＱＣＬ関連性に少なくとも部分的に基づいて、前記送信ビームとの使用のために、前記アナログビーム形成重み付けのセットを調節することとをさらに含む［２］記載の方法。
［５］  前記空間ＱＣＬ関連性に基づいて、前記第２の副帯域を介しての前記基地局との通信のための受信ビームを識別することをさらに含み、
前記通信することは、前記受信ビームを使用して、前記第２の副帯域上で第２のダウンリンク送信を受信することを含む［１］記載の方法。
［６］  前記ダウンリンク送信の受信のために使用される前記空間パラメータに関係するアナログビーム形成重み付けのセットを識別し、前記ダウンリンク送信は、第１のダウンリンク送信であることと、
前記空間ＱＣＬ関連性に少なくとも部分的に基づいて、前記受信ビームとの使用のために、前記アナログビーム形成重み付けのセットを調節することとをさらに含む［５］記載の方法。
［７］  前記第１のダウンリンク送信は、チャネル状態情報基準信号（ＣＳＩ−ＲＳ）を含み、前記第２のダウンリンク送信は、物理ダウンリンク共有チャネル（ＰＤＳＣＨ）復調基準信号（ＤＭＲＳ）を含む［６］記載の方法。
［８］  前記第１の副帯域と前記第２の副帯域とに渡る相互ＱＣＬ関連性として、前記空間ＱＣＬ関連性を適用することをさらに含み、前記相互ＱＣＬ関連性は、前記第１の副帯域上で前記ダウンリンク送信を介して受信される１つ以上のダウンリンク信号の受信のためと、前記第２の副帯域上で送信される１つ以上のアップリンク信号の送信のために使用される空間パラメータに関係する［１］記載の方法。
［９］  前記１つ以上のダウンリンク信号は、物理ダウンリンク制御チャネル（ＰＤＣＣＨ）復調基準信号（ＤＭＲＳ）、物理ダウンリンク共有チャネル（ＰＤＳＣＨ）ＤＭＲＳ、チャネル状態情報基準信号（ＣＳＩ−ＲＳ）、同期信号、または、これらの任意の組み合わせを含み、
前記１つ以上のアップリンク信号は、物理アップリンク制御チャネル（ＰＵＣＣＨ）ＤＭＲＳ、物理アップリンク共有チャネル（ＰＵＳＣＨ）ＤＭＲＳ、サウンディング基準信号（ＳＲＳ）、ランダムアクセスチャネル（ＲＡＣＨ）、または、これらの任意の組み合わせを含む［８］記載の方法。
［１０］  前記第１の副帯域と前記第２の副帯域とに渡るＱＣｌ関連性として、前記空間ＱＣＬ関連性を適用することをさらに含み、前記ＱＣＬ関連性は、前記第１の副帯域上の前記ダウンリンク送信を介して受信される第１のダウンリンク信号の受信のためと、前記第２の副帯域上で受信される第２のダウンリンク信号の受信のために使用される空間パラメータに関係する［１］記載の方法。
［１１］  前記第１のダウンリンク信号と前記第２のダウンリンク信号は、物理ダウンリンク制御チャネル（ＰＤＣＣＨ）復調基準信号（ＤＭＲＳ）、物理ダウンリンク共有チャネル（ＰＤＳＣＨ）ＤＭＲＳ、チャネル状態情報基準信号（ＣＳＩ−ＲＳ）、同期信号、または、これらの任意の組み合わせを含む［１０］記載の方法。
［１２］  無線リソース制御（ＲＲＣ）メッセージング、媒体アクセス制御（ＭＡＣ）制御要素、ダウンリンク制御情報（ＤＣＩ）、または、これらの組み合わせを使用して、前記シグナリングを受信することをさらに含む［１］記載の方法。
［１３］  前記第１の副帯域は第１の搬送波を含み、前記第２の副帯域は第２の搬送波を含む［１］記載の方法。
［１４］  前記第１の副帯域は第１の帯域幅部分を含み、前記第２の副帯域は第２の帯域幅部分を含む［１］記載の方法。
［１５］  前記導出した空間パラメータは、点角、ビーム幅、ビーム方向、または、これらの組み合わせを含む［１］記載の方法。
［１６］  基地局におけるワイヤレス通信のための方法において、
ユーザ機器（ＵＥ）との通信のための、システム帯域幅の第１の副帯域と第２の副帯域とを構成することと、
前記第１の副帯域と前記第２の副帯域との間の空間疑似コロケーション（ＱＣＬ）関連性を決定することと、
前記決定した空間ＱＣＬ関連性を示すシグナリングを前記ＵＥに送信することとを含む方法。
［１７］  前記第１の副帯域上でダウンリンク送信を前記ＵＥに送信することと、
前記第２の副帯域上でアップリンク制御情報を受信することとをさらに含み、
前記空間ＱＣＬ関連性は、前記第１の副帯域上での前記ダウンリンク送信の受信のために使用される空間パラメータに少なくとも部分的に基づいて、前記第２の副帯域上での前記アップリンク制御情報の送信のための空間パラメータを前記ＵＥが導出できるようにする［１６］記載の方法。
［１８］  前記第１の副帯域上で第１のダウンリンク送信を前記ＵＥに送信することと、
前記第２の副帯域上で第２のダウンリンク送信を送信することとをさらに含み、
前記空間ＱＣＬ関連性は、前記第１の副帯域上での前記第１のダウンリンク送信の受信のために使用される空間パラメータに少なくとも部分的に基づいて、前記第２の副帯域上での前記第２のダウンリンク送信の受信ための空間パラメータを前記ＵＥが導出できるようにする［１６］記載の方法。
［１９］  前記第１のダウンリンク送信は、チャネル状態情報基準信号（ＣＳＩ−ＲＳ）を含み、前記第２のダウンリンク送信は、物理ダウンリンク共有チャネル（ＰＤＳＣＨ）復調基準信号（ＤＭＲＳ）を含む［１８］記載の方法。
［２０］  前記第１の副帯域と前記第２の副帯域との間の前記空間ＱＣＬ関連性を決定することは、
前記第１の副帯域と前記第２の副帯域とに渡る相互ＱＣＬ関連性を決定することを含み、前記相互ＱＣＬ関連性は、前記第１の副帯域上で送信される１つ以上のダウンリンク信号の前記ＵＥによる受信のためと、前記第２の副帯域上で送信される１つ以上のアップリンク信号の前記ＵＥによる送信のために使用される空間パラメータに関係する［１６］記載の方法。
［２１］  前記１つ以上のダウンリンク信号は、物理ダウンリンク制御チャネル（ＰＤＣＣＨ）復調基準信号（ＤＭＲＳ）、物理ダウンリンク共有チャネル（ＰＤＳＣＨ）ＤＭＲＳ、チャネル状態情報基準信号（ＣＳＩ−ＲＳ）、同期信号、または、これらの任意の組み合わせを含み、
前記１つ以上のアップリンク信号は、物理アップリンク制御チャネル（ＰＵＣＣＨ）ＤＭＲＳ、物理アップリンク共有チャネル（ＰＵＳＣＨ）ＤＭＲＳ、サウンディング基準信号（ＳＲＳ）、ランダムアクセスチャネル（ＲＡＣＨ）、または、これらの任意の組み合わせを含む［２０］記載の方法。
［２２］  前記第１の副帯域と前記第２の副帯域との間の前記空間ＱＣＬ関連性を決定することは、
前記第１の副帯域と前記第２の副帯域とに渡るＱＣＬ関連性を決定することを含み、前記ＱＣＬ関連性は、前記第１の副帯域上で送信される第１のダウンリンク信号の前記ＵＥによる受信のためと、前記第２の副帯域上で送信される第２のダウンリンク信号の前記ＵＥによる受信のための空間パラメータに関係する［１６］記載の方法。
［２３］  前記第１のダウンリンク信号と前記第２のダウンリンク信号は、物理ダウンリンク制御チャネル（ＰＤＣＣＨ）復調基準信号（ＤＭＲＳ）、物理ダウンリンク共有チャネル（ＰＤＳＣＨ）ＤＭＲＳ、チャネル状態情報基準信号（ＣＳＩ−ＲＳ）、同期信号、または、これらの任意の組み合わせを含む［２２］記載の方法。
［２４］  前記シグナリングを送信することは、無線リソース制御（ＲＲＣ）メッセージング、媒体アクセス制御（ＭＡＣ）制御要素、ダウンリンク制御情報（ＤＣＩ）、または、これらの組み合わせを使用して、前記シグナリングを送信することを含む［１６］記載の方法。
［２５］  前記第１の副帯域は第１の搬送波を含み、前記第２の副帯域は第２の搬送波を含む［１６］記載の方法。
［２６］  前記第１の副帯域は第１の帯域幅部分を含み、前記第２の副帯域は第２の帯域幅部分を含む［１６］記載の方法。
［２７］  前記空間ＱＣＬ関連性は、点角、ビーム幅、ビーム方向、または、これらの組み合わせを含む空間パラメータに関係する［１６］記載の方法。
［２８］  ユーザ機器（ＵＥ）におけるワイヤレス通信のための装置において、
システム帯域幅の第１の副帯域と第２の副帯域との間の空間疑似コロケーション（ＱＣＬ）関連性を示すシグナリングを基地局から受信する手段と、
前記第１の副帯域を介しての前記基地局からのダウンリンク送信の受信のために使用される空間パラメータに少なくとも部分的に基づいている、前記第２の副帯域を介しての前記基地局との通信のための空間パラメータを、前記空間ＱＣＬ関連性に少なくとも部分的に基づいて導出する手段と、
前記導出した空間パラメータを使用して、前記第２の副帯域を介して前記基地局と通信する手段とを具備する装置。
［２９］  前記空間ＱＣＬ関連性に基づいて、前記第２の副帯域を介しての前記基地局との通信のための送信ビームを識別する手段をさらに具備し、
前記通信する手段は、前記送信ビームを使用して、前記第２の副帯域上でアップリンク制御情報を送信する手段を備える［２８］記載の装置。
［３０］  前記空間パラメータを導出する手段は、前記送信ビームに対する空間パラメータを導出する手段を備え、前記導出した空間パラメータは、前記ダウンリンク送信の受信のために使用される前記空間パラメータによって規定される機能と相互関係にある機能に対するものである［３０］記載の装置。
［３１］  前記ダウンリンク送信の受信のために使用される前記空間パラメータに関係するアナログビーム形成重み付けのセットを識別する手段と、
前記空間ＱＣＬ関連性に少なくとも部分的に基づいて、前記送信ビームとの使用のために、前記アナログビーム形成重み付けのセットを調節する手段とをさらに具備する［２９］記載の装置。
［３２］  前記空間ＱＣＬ関連性に基づいて、前記第２の副帯域を介しての前記基地局との通信のための受信ビームを識別することをさらに具備し、
前記通信する手段は、前記受信ビームを使用して、前記第２の副帯域上で第２のダウンリンク送信を受信する手段を備える［２８］記載の装置。
［３３］  前記ダウンリンク送信の受信のために使用される前記空間パラメータに関係するアナログビーム形成重み付けのセットを識別する手段と、
前記空間ＱＣＬ関連性に少なくとも部分的に基づいて、前記受信ビームとの使用のために、前記アナログビーム形成重み付けのセットを調節する手段とをさらに具備し、
前記ダウンリンク送信は、第１のダウンリンク送信である［３２］記載の装置。
［３４］  前記第１のダウンリンク送信は、チャネル状態情報基準信号（ＣＳＩ−ＲＳ）を含み、前記第２のダウンリンク送信は、物理ダウンリンク共有チャネル（ＰＤＳＣＨ）復調基準信号（ＤＭＲＳ）を含む［３３］記載の装置。
［３５］  前記第１の副帯域と前記第２の副帯域とに渡る相互ＱＣＬ関連性として、前記空間ＱＣＬ関連性を適用する手段をさらに具備し、前記相互ＱＣＬ関連性は、前記第１の副帯域上で前記ダウンリンク送信を介して受信される１つ以上のダウンリンク信号の受信のためと、前記第２の副帯域上で送信される１つ以上のアップリンク信号の送信のために使用される空間パラメータに関係する［２８］記載の装置。
［３６］  前記１つ以上のダウンリンク信号は、物理ダウンリンク制御チャネル（ＰＤＣＣＨ）復調基準信号（ＤＭＲＳ）、物理ダウンリンク共有チャネル（ＰＤＳＣＨ）ＤＭＲＳ、チャネル状態情報基準信号（ＣＳＩ−ＲＳ）、同期信号、または、これらの任意の組み合わせを含み、
前記１つ以上のアップリンク信号は、物理アップリンク制御チャネル（ＰＵＣＣＨ）ＤＭＲＳ、物理アップリンク共有チャネル（ＰＵＳＣＨ）ＤＭＲＳ、サウンディング基準信号（ＳＲＳ）、ランダムアクセスチャネル（ＲＡＣＨ）、または、これらの任意の組み合わせを含む［３５］記載の装置。
［３７］  前記第１の副帯域と前記第２の副帯域とに渡るＱＣＬ関連性として、前記空間ＱＣＬ関連性を適用する手段をさらに具備し、前記ＱＣＬ関連性は、前記第１の副帯域上の前記ダウンリンク送信を介して受信される第１のダウンリンク信号の受信のためと、前記第２の副帯域上で受信される第２のダウンリンク信号の受信のために使用される空間パラメータに関係する［２８］記載の装置。
［３８］  前記第１のダウンリンク信号と前記第２のダウンリンク信号は、物理ダウンリンク制御チャネル（ＰＤＣＣＨ）復調基準信号（ＤＭＲＳ）、物理ダウンリンク共有チャネル（ＰＤＳＣＨ）ＤＭＲＳ、チャネル状態情報基準信号（ＣＳＩ−ＲＳ）、同期信号、または、これらの任意の組み合わせを含む［３７］記載の装置。
［３９］  無線リソース制御（ＲＲＣ）メッセージング、媒体アクセス制御（ＭＡＣ）制御要素、ダウンリンク制御情報（ＤＣＩ）、または、これらの組み合わせを使用して、前記シグナリングを受信する手段をさらに具備する［２８］記載の装置。
［４０］  基地局におけるワイヤレス通信のための装置において、
ユーザ機器（ＵＥ）との通信のための、システム帯域幅の第１の副帯域と第２の副帯域とを構成する手段と、
前記第１の副帯域と前記第２の副帯域との間の空間疑似コロケーション（ＱＣＬ）関連性を決定する手段と、
前記決定した空間ＱＣＬ関連性を示すシグナリングを前記ＵＥに送信する手段とを具備する装置。
［４１］  前記第１の副帯域上でダウンリンク送信を前記ＵＥに送信する手段と、
前記第２の副帯域上でアップリンク制御情報を受信する手段とをさらに具備し、
前記空間ＱＣＬ関連性は、前記第１の副帯域上での前記ダウンリンク送信の受信のために使用される空間パラメータに少なくとも部分的に基づいて、前記第２の副帯域上での前記アップリンク制御情報の送信のための空間パラメータを前記ＵＥが導出できるようにする［４０］記載の装置。
［４２］  前記第１の副帯域上で第１のダウンリンク送信を前記ＵＥに送信する手段と、
前記第２の副帯域上で第２のダウンリンク送信を送信する手段とをさらに具備し、
前記空間ＱＣＬ関連性は、前記第１の副帯域上での前記第１のダウンリンク送信の受信のために使用される空間パラメータに少なくとも部分的に基づいて、前記第２の副帯域上での前記第２のダウンリンク送信の受信ための空間パラメータを前記ＵＥが導出できるようにする［４１］記載の装置。
［４３］  前記第１のダウンリンク送信は、チャネル状態情報基準信号（ＣＳＩ−ＲＳ）を含み、前記第２のダウンリンク送信は、物理ダウンリンク共有チャネル（ＰＤＳＣＨ）復調基準信号（ＤＭＲＳ）を含む［４２］記載の装置。
［４４］  前記第１の副帯域と前記第２の副帯域との間の前記空間ＱＣＬ関連性を決定する手段は、
前記第１の副帯域と前記第２の副帯域とに渡る相互ＱＣＬ関連性を決定する手段を備え、前記相互ＱＣＬ関連性は、前記第１の副帯域上で送信される１つ以上のダウンリンク信号の前記ＵＥによる受信のためと、前記第２の副帯域上で送信される１つ以上のアップリンク信号の前記ＵＥによる送信のために使用される空間パラメータに関係する［４０］記載の装置。
［４５］  前記１つ以上のダウンリンク信号は、物理ダウンリンク制御チャネル（ＰＤＣＣＨ）復調基準信号（ＤＭＲＳ）、物理ダウンリンク共有チャネル（ＰＤＳＣＨ）ＤＭＲＳ、チャネル状態情報基準信号（ＣＳＩ−ＲＳ）、同期信号、または、これらの任意の組み合わせを含み、
前記１つ以上のアップリンク信号は、物理アップリンク制御チャネル（ＰＵＣＣＨ）ＤＭＲＳ、物理アップリンク共有チャネル（ＰＵＳＣＨ）ＤＭＲＳ、サウンディング基準信号（ＳＲＳ）、ランダムアクセスチャネル（ＲＡＣＨ）、または、これらの任意の組み合わせを含む［４４］記載の装置。
［４６］  前記第１の副帯域と前記第２の副帯域との間の前記空間ＱＣＬ関連性を決定する手段は、
前記第１の副帯域と前記第２の副帯域とに渡るＱＣＬ関連性を決定する手段を備え、前記ＱＣＬ関連性は、前記第１の副帯域上で送信される第１のダウンリンク信号の前記ＵＥによる受信のためと、前記第２の副帯域上で送信される第２のダウンリンク信号の前記ＵＥによる受信のための空間パラメータに関係する［４０］記載の装置。
［４７］  前記第１のダウンリンク信号と前記第２のダウンリンク信号は、物理ダウンリンク制御チャネル（ＰＤＣＣＨ）復調基準信号（ＤＭＲＳ）、物理ダウンリンク共有チャネル（ＰＤＳＣＨ）ＤＭＲＳ、チャネル状態情報基準信号（ＣＳＩ−ＲＳ）、同期信号、または、これらの任意の組み合わせを含む［４６］記載の装置。
［４８］  前記シグナリングを送信する手段は、無線リソース制御（ＲＲＣ）メッセージング、媒体アクセス制御（ＭＡＣ）制御要素、ダウンリンク制御情報（ＤＣＩ）、または、これらの組み合わせを使用して、前記シグナリングを送信する手段を備える［４０］記載の装置。
［４９］  ユーザ機器（ＵＥ）におけるワイヤレス通信のための装置において、
プロセッサと、
前記プロセッサと電子通信するメモリと、
前記メモリ中に記憶されている命令とを具備し、
前記命令は、前記プロセッサによって実行されるとき、前記装置に、
システム帯域幅の第１の副帯域と第２の副帯域との間の空間疑似コロケーション（ＱＣＬ）関連性を示すシグナリングを基地局から受信させ、
前記第１の副帯域を介しての前記基地局からのダウンリンク送信の受信のために使用される空間パラメータに少なくとも部分的に基づいている、前記第２の副帯域を介しての前記基地局との通信のための空間パラメータを、前記空間ＱＣＬ関連性に少なくとも部分的に基づいて導出させ、
前記導出した空間パラメータを使用して、前記第２の副帯域を介して前記基地局と通信させるように動作可能である装置。
［５０］  基地局におけるワイヤレス通信のための装置において、
プロセッサと、
前記プロセッサと電子通信するメモリと、
前記メモリ中に記憶されている命令とを具備し、
前記命令は、前記プロセッサによって実行されるとき、前記装置に、
ユーザ機器（ＵＥ）との通信のための、システム帯域幅の第１の副帯域と第２の副帯域とを構成させ、
前記第１の副帯域と前記第２の副帯域との間の空間疑似コロケーション（ＱＣＬ）関連性を決定させ、
前記決定した空間ＱＣＬ関連性を示すシグナリングを前記ＵＥに送信させるように動作可能である装置。
［５１］  ユーザ機器（ＵＥ）におけるワイヤレス通信のためのコードを記憶している非一時的コンピュータ読取可能媒体において、
前記コードは、
システム帯域幅の第１の副帯域と第２の副帯域との間の空間疑似コロケーション（ＱＣＬ）関連性を示すシグナリングを基地局から受信し、
前記第１の副帯域を介しての前記基地局からのダウンリンク送信の受信のために使用される空間パラメータに少なくとも部分的に基づいている、前記第２の副帯域を介しての前記基地局との通信のための空間パラメータを、前記空間ＱＣＬ関連性に少なくとも部分的に基づいて導出し、
前記導出した空間パラメータを使用して、前記第２の副帯域を介して前記基地局と通信するようにプロセッサによって実行可能な命令を含む非一時的コンピュータ読取可能媒体。
［５２］  基地局におけるワイヤレス通信のためのコードを記憶している非一時的コンピュータ読取可能媒体において、
前記コードは、
ユーザ機器（ＵＥ）との通信のための、システム帯域幅の第１の副帯域と第２の副帯域とを構成し、
前記第１の副帯域と前記第２の副帯域との間の空間疑似コロケーション（ＱＣＬ）関連性を決定し、
前記決定した空間ＱＣＬ関連性を示すシグナリングを前記ＵＥに送信するようにプロセッサによって実行可能な命令を含む非一時的コンピュータ読取可能媒体。
【図１】
0006746810.tif 000002
【図２】
0006746810.tif 000003
【図３】
0006746810.tif 000004
【図４】
0006746810.tif 000005
【図５】
0006746810.tif 000006
【図６】
0006746810.tif 000007
【図７】
0006746810.tif 000008
【図８】
0006746810.tif 000009
【図９】
0006746810.tif 000010
【図１０】
0006746810.tif 000011
【図１１】
0006746810.tif 000012
【図１２】
0006746810.tif 000013
【図１３】
0006746810.tif 000014
【図１４】
0006746810.tif 000015
【図１５】
0006746810.tif 000016
【図１６】
0006746810.tif 000017
【図１７】
0006746810.tif 000018
【図１８】
0006746810.tif 000019
【図１９】
0006746810.tif 000020
【図２０】
0006746810.tif 000021